(57)【特許請求の範囲】
【請求項１】
追記型の情報記録媒体であって、
前記情報記録媒体は、第１から第ｎ（ｎは、ｎ≧１である整数）の記録層を備え、
前記第１から第ｎの記録層は、それぞれ、ユーザデータが記録されているユーザデータ領域を備え、
前記第１から第ｎの記録層のうちの少なくとも１つの記録層は、前記情報記録媒体に関するディスク管理情報が記録されているディスク管理領域を備え、
前記ディスク管理情報は、
前記情報記録媒体のデータ構造を管理するディスク定義構造と、
前記第１から第ｎの記録層にあるユーザデータ領域の記録状態をブロック毎に管理する第１から第ｎのスペースビットマップと
を含み、
前記ディスク管理情報は、
前記ディスク定義構造と、前記スペースビットマップを合わせて１ブロックを構成するブロック単位で記録されており、
第ｉ（ｉは、１≦ｉ≦ｎである整数）の記録層にあるユーザデータ領域のサイズを最も大きく割り当てた場合において、第ｉのスペースビットマップを格納するのに必要なディスク管理情報のブロック数は、Ｎi（Ｎiは、Ｎi≧２である整数）であり、
実際の前記第ｉの記録層にあるユーザデータ領域のサイズに対して、前記第ｉのスペースビットマップを格納するのに必要なディスク管理情報のブロック数は、Ｍi（Ｍiは、１≦Ｍi≦Ｎiである整数）であるとすると、
Ｍiが２以上の場合には、
前記第ｉのスペースビットマップは、それぞれ前記ディスク管理情報の１ブロックに収まるサイズである第１〜第Ｍiのスペースビットマップに分けられ、それぞれが前記ディスク定義構造とともに、前記ディスク管理領域にＭi個のディスク管理情報ブロックとして記録されている、情報記録媒体。
【請求項２】
前記ディスク定義構造は、前記Ｍi個のディスク管理情報ブロックのそれぞれの先頭セクタに記録されている、請求項１に記載の情報記録媒体。
【請求項３】
前記Ｍi個のディスク管理情報ブロックは、連続するブロックである、請求項２に記載の情報記録媒体。
【請求項４】
ｎは２以上であり、
前記Ｍi個のディスク管理情報ブロックに後続する（Ｎi−Ｍi）個のブロックの次のブロックから、第ｉ＋１の記録層にあるユーザデータ領域の記録状態を管理する第ｉ＋１のスペースビットマップを含むＭi+1個のディスク管理情報ブロックが記録されている、請求項３に記載の情報記録媒体。
【請求項５】
前記（Ｎi−Ｍi）個のブロックの先頭セクタには、前記ディスク定義構造が記録されている、請求項４に記載の情報記録媒体。
【請求項６】
前記（Ｎi−Ｍi）個のブロックにおいて、前記ディスク定義構造が記録されているセクタ以外のセクタには、全て０のデータが記録されている、請求項５に記載の情報記録媒体。
【請求項７】
前記ディスク定義構造は、前記第１から第ｎのスペースビットマップが記録されているブロックの位置を示すそれぞれＮ1個、Ｎ2個、…、Ｎi個、…、Ｎn個のスペースビットマップ位置情報を含み、
前記スペースビットマップ位置情報は、前記スペースビットマップを含まないブロックに対しては、無効な位置情報が記録されている、請求項１に記載の情報記録媒体。
【請求項８】
追記型の情報記録媒体に情報を記録する情報記録方法であって、
前記情報記録媒体は、第１から第ｎ（ｎは、ｎ≧１である整数）の記録層を備え、
前記第１から第ｎの記録層は、それぞれ、ユーザデータが記録されているユーザデータ領域を備え、
前記第１から第ｎの記録層のうちの少なくとも１つの記録層は、前記情報記録媒体に関するディスク管理情報を記録するディスク管理領域を備え、
前記ディスク管理情報は、
前記情報記録媒体のデータ構造を管理するディスク定義構造と、
前記第１から第ｎの記録層にあるユーザデータ領域の記録状態をブロック毎に管理する第１から第ｎのスペースビットマップと
を含み、
前記ディスク管理情報は、
前記ディスク定義構造と、前記スペースビットマップを合わせて１ブロックを構成するブロック単位で記録され、
第ｉ（ｉは、１≦ｉ≦ｎである整数）のユーザデータ領域のサイズを最も大きく割り当てた場合において、第ｉのスペースビットマップを格納するのに必要なディスク管理情報のブロック数は、Ｎi（Ｎiは、Ｎi≧２である整数）であり、
前記情報記録方法は、
実際の前記第ｉのユーザデータ領域のサイズに対して、前記第ｉのスペースビットマップを格納するのに必要なディスク管理情報のブロック数は、Ｍi（Ｍiは、１≦Ｍi≦Ｎiである整数）であるとすると、
Ｍiが２以上の場合には、
前記第ｉのスペースビットマップを、それぞれ前記ディスク管理情報の１ブロックに収まるサイズである第１〜第Ｍiのスペースビットマップに分けて、それぞれを前記ディスク定義構造とともに、前記ディスク管理領域にＭi個のディスク管理情報ブロックとして記録する、情報記録方法。
【請求項９】
前記ディスク定義構造は、前記Ｍi個のディスク管理情報ブロックのそれぞれの先頭セクタに記録する、請求項８に記載の情報記録方法。
【請求項１０】
前記Ｍi個のディスク管理情報ブロックは、連続するブロックである、請求項９に記載の情報記録方法。
【請求項１１】
ｎは２以上であり、
前記Ｍi個のディスク管理情報ブロックに後続する（Ｎi−Ｍi）個のブロックの次のブロックから、第ｉ＋１の記録層にあるユーザデータ領域の記録状態を管理する第ｉ＋１のスペースビットマップを含むＭi+1個のディスク管理情報ブロックを記録する、請求項１０に記載の情報記録方法。
【請求項１２】
前記（Ｎi−Ｍi）個のブロックの先頭セクタには、前記ディスク定義構造を記録する、請求項１１に記載の情報記録方法。
【請求項１３】
前記（Ｎi−Ｍi）個のブロックにおいて、前記ディスク定義構造を記録するセクタ以外のセクタには、全て０のデータを記録する、請求項１２に記載の情報記録方法。
【請求項１４】
前記ディスク定義構造は、前記第１から第ｎのスペースビットマップが記録されるブロックの位置を示すそれぞれＮ1個、Ｎ2個、…、Ｎi個、…、Ｎn個のスペースビットマップ位置情報を含み、
前記スペースビットマップ位置情報は、前記スペースビットマップを含まないブロックに対しては、無効な位置情報が記録される、請求項８に記載の情報記録方法。
【発明の詳細な説明】
【技術分野】
【０００１】
本発明は、各領域の記録・未記録状態を示すビットマップ情報を備え、ランダム記録が可能な追記型情報記録媒体、及びその追記型情報記録媒体に対する記録再生方法、記録再生装置に関する。
【背景技術】
【０００２】
近年、大容量で交換可能な情報記録媒体、及びそれを扱うドライブ装置が広く普及している。大容量で交換可能な情報記録媒体としては、ＤＶＤやＢｌｕ−ｒａｙ  Ｄｉｓｃ（以下、ＢＤと記載）のような光ディスクがよく知られている。光ディスクドライブ装置は、レーザ光を用いて光ディスク上に微小なピット（マーク）を形成することによって記録再生を行うので、大容量で交換可能な情報記録に適している。レーザ光として、ＤＶＤは赤色レーザ、ＢＤは赤色レーザより波長が短い青色レーザを用いることが特徴であり、それによりＢＤはＤＶＤよりも記録密度を高め、大容量化を実現している。例えば、ＢＤ−Ｒの場合、記録層１層あたり最大で２７ギガバイトの記録容量を実現している。【０００３】
光ディスクの一例として、相変化タイプの記録材料を記録層に用いた光ディスクがある。相変化型光ディスクは、レーザ光線を光ディスクに照射し、その注入エネルギーにより記録膜面上に形成した薄膜物質の原子結合状態を局所的に変化させることにより情報を記録する。次に、記録したときよりも十分低いパワーのレーザ光を照射したときに、前述の物理状態の違いによって反射率が変化する。この反射率の変化量を検出すれば、情報の読み取りを行うことができる。【０００４】
相変化型光ディスクは、記録層に用いる相変化タイプの記録材料によって、複数回の繰り返し記録が可能な書き換え型光ディスクのほかに、１回しか記録できない追記型光ディスクがある。これらの追記型光ディスクにマークエッジ記録する場合、マルチパルス状に変調されたレーザ光を照射して、記録材料の物理状態の変化を生じさせることによって、記録マークを形成し、できたマークとスペースの反射量変化を検出して情報を読み出す。【０００５】
しかしながら、光ディスクは交換可能な情報記録媒体であるため、埃や傷などによって、その記録面に欠陥が存在する可能性が高い。特に、高密度な記録媒体ほど欠陥の影響を受けやすい。そこで、ＢＤでは、書き換え型光ディスクであるＢＤ−ＲＥだけでなく、追記型光ディスクであるＢＤ−Ｒでも記録再生データの信頼性を保証するために、欠陥管理を行うのが一般的になっている（例えば、特許文献１参照）。【０００６】
図１は、追記型情報記録媒体（２層ＢＤ−Ｒ）の領域構造を示す図である。【０００７】
以下、図１に示す２層ＢＤ−Ｒを例に説明する。【０００８】
ＢＤ−Ｒには、誤り訂正単位であるブロック単位で記録再生が行われ、このブロックはクラスタと呼ばれる。１クラスタは３２セクタ（１セクタは２０４８バイトのユーザデータを含む）で構成される。また、セクタはデータフレームとも呼ばれる。【０００９】
なお、ＢＤ−Ｒには、ある追記点からアドレスが増加する方向に向かって、連続して記録を行うシーケンシャル記録モードと、任意の位置（未記録クラスタ）へ記録を行うランダム記録モードの２つの記録モードがあるが、以下ではランダム記録モードで記録するものとする。【００１０】
各記録層は、内周側からインナーゾーン、データ領域、アウターゾーンからなる。なお、リードイン領域がある記録層をＬ０層、リードアウト領域がある記録層をＬ１層とする。ＢＤ−Ｒの場合、レーザ光の入射側から遠い順に、Ｌ０層、Ｌ１層と配置されている。【００１１】
Ｌ０層のインナーゾーンの最内周には、制御情報領域（ＰＩＣ：Ｐｅｒｍａｎｅｎｔ  Ｉｎｆｏｒｍａｔｉｏｎ  ＆  Ｃｏｎｔｒｏｌ  Ｄａｔａ）がある。制御情報領域は、ディスク製造時に記録される領域で、再生専用の領域である。制御情報領域には、ＢＤ−ＲやＢＤ−ＲＥといった情報記録媒体の種別や、記録層の層数、ディスクの記録容量に関する情報（例えば、各記録層のデータ領域の先頭物理アドレスや終端物理アドレス、チャネルビットレングス、名目記録速度）などのディスク情報が記録されている。【００１２】
各記録層のデータ領域は、ユーザデータが記録されるユーザデータ領域と、ユーザデータ領域に欠陥があった場合、交替記録を行うためのスペア領域とで構成される。【００１３】
スペア領域は、データ領域の内周側と外周側に割り当てられる。内周側に割り当てられたスペア領域はＩＳＡ（Ｉｎｎｅｒ  Ｓｐａｒｅ  Ａｒｅａ）と呼ばれ、外周側に割り当てられたスペア領域はＯＳＡ（Ｏｕｔｅｒ  Ｓｐａｒｅ  Ａｒｅａ）と呼ばれる。【００１４】
なお、ＩＳＡとＯＳＡには、図１に示すように、ディスク管理情報を記録するためのＡＴＤＭＡ（Ａｄｄｉｔｉｏｎａｌ  Ｔｅｍｐｏｒａｒｙ  Ｄｉｓｃ  Ｍａｎａｇｅｍｅｎｔ  Ａｒｅａ）と呼ばれるＴＤＭＡ（ＴＤＭＡ２、ＴＤＭＡ３、ＴＤＭＡ４、ＴＤＭＡ５）が割り当てられる場合があるが、以下では、ＡＴＤＭＡを含むＩＳＡおよびＯＳＡをスペア領域として説明する。【００１５】
スペア領域は、任意のサイズに設定可能で、フォーマット（初期化）処理において設定される。これにより、ディスクのレイアウト（ユーザデータ領域のサイズとスペア領域のサイズ）が確定する。【００１６】
インナーゾーンとアウターゾーンには、管理情報を記録するための４個のディスク管理領域（ＤＭＡ：Ｄｉｓｃ  Ｍａｎａｇｅｍｅｎｔ  Ａｒｅａ）がある。【００１７】
図１２は、２層ＢＤ−ＲのＤＭＡの領域構造を示す図である。【００１８】
ＤＭＡ１〜ＤＭＡ４はそれぞれ、図１２（Ａ）に示すように、３２ブロック×２層の６４ブロックで構成される。また、ＤＭＡ１〜ＤＭＡ４は、互換性を保障するため、ＢＤ−Ｒ、ＢＤ−ＲＥともに同じ位置に配置される。【００１９】
ＤＭＡの先頭領域から８ブロックは、ディスクのレイアウト情報や記録状態を示す情報などを含むディスク管理情報を格納するための領域で、残りの５６ブロックは、欠陥の位置情報や交替先の位置情報などを含む欠陥管理情報を格納するための領域である。【００２０】
２層ＢＤ−Ｒでは、ＤＭＡの先頭領域から４ブロックに、ディスクのレイアウト情報（フォーマットやステータスに関する情報）などを含むディスク定義構造（ＤＤＳ：Ｄｉｓｃ  Ｄｅｆｉｎｉｔｉｏｎ  Ｓｔｒｕｃｔｕｒｅ）と、ユーザデータ領域の記録状態を示すスペースビットマップ（ＳＢＭ：Ｓｐａｃｅ  Ｂｉｔ  Ｍａｐ）とを含むディスク管理情報が、１ブロック単位で４個記録される。【００２１】
４個のＤＤＳとしては、互いに同じ情報が記録される。ＳＢＭとしては、記録層毎のユーザデータ領域の記録状態を管理するため、Ｌ０層ＳＢＭとＬ１層ＳＢＭとが記録される。【００２２】
なお、ＢＤ−ＲＥとの互換性を保つために、ブロック５〜８の４ブロックは予備領域とし、未記録の領域である（例えば特許文献２、特許文献３を参照）。【００２３】
ちなみに、シーケンシャル記録モード時は、ＳＢＭの代わりにＳＲＲＩ（Ｓｅｑｕｅｎｔｉａｌ  Ｒｅｃｏｒｄｉｎｇ  Ｒａｎｇｅ  Ｉｎｆｏｒｍａｔｉｏｎ）で記録状態を管理する。ユーザデータ領域は、１つ以上のＳＲＲ（Ｓｅｑｕｅｎｔｉａｌ  Ｒｅｃｏｒｄｉｎｇ  Ｒａｎｇｅ）に分けられ、ＳＲＲＩでは、各ＳＲＲの開始アドレスと最終記録済みアドレスとをＳＲＲエントリとして管理することで、ユーザデータ領域の記録状態を管理している。ＤＤＳとＳＲＲＩを含む１ブロックのディスク管理情報が、４ブロック（ＳＢＭが含まれるブロックと同じブロック数）繰り返し記録される。【００２４】
欠陥管理情報（ＤＦＬ：Ｄｅｆｅｃｔ  Ｌｉｓｔ）は、８ブロック単位で７回繰り返し記録される。【００２５】
ＤＭＡ１〜ＤＭＡ４（図１）には、同じ情報が記録される。これは、ＤＭＡに記録される管理情報が取得できないと、記録再生を行うことができなくなるため、多重記録することによって、埃や欠陥などによる欠陥の影響を受けて、仮に再生できないＤＭＡがあったとしても、別のＤＭＡを再生することで、管理情報を取得できるようにするためである。【００２６】
ディスク管理情報や欠陥管理情報を複数回記録するのも、同じ理由によるものである。【００２７】
図１３は、２層ＢＤ−ＲのＤＤＳのデータ構造を示す図である。【００２８】
ＤＤＳは、ディスクを管理するための主情報であり、ディスクの領域構造を規定し、欠陥管理情報やＳＢＭなどの管理情報（従情報）を管理するための情報を含む１セクタの情報である。【００２９】
ディスクの領域構造を規定する情報としては、スペア領域のサイズ１３０３、１３０４、１３０５や、ユーザデータ領域の論理終端セクタアドレス１３０２、ＡＴＤＭＡのサイズ１３０７、１３０８、１３０９などが含まれ、管理情報を管理するための情報としては、記録モード１３０６や、ＤＦＬが記録された位置を示すＤＦＬ位置情報１３１０、１３１１、ＳＢＭが記録された位置を示すＳＢＭ位置情報１３１２、１３１３などが含まれる。【００３０】
スペア領域のサイズは、Ｌ０層内周スペア領域、外周スペア領域、Ｌ１層内周スペア領域の３種類の領域サイズの設定が可能である。Ｌ０層内周スペア領域サイズ１３０３は、ＩＳＡ０（図１）のサイズを示し、外周スペア領域サイズ１３０４は、ＯＳＡ０およびＯＳＡ１のサイズを示し、Ｌ１層内周スペア領域サイズ１３０５は、ＩＳＡ１のサイズを示す。【００３１】
ちなみに、ＡＴＤＭＡのサイズもスペア領域のサイズと同様に、Ｌ０層内周ＡＴＤＭＡ、外周ＡＴＤＭＡ、Ｌ１層内周ＡＴＤＭＡの３種類のサイズの設定が可能である。Ｌ０層内周ＡＴＤＭＡサイズ１３０７が、ＴＤＭＡ２（図１）のサイズを示し、外周ＡＴＤＭＡサイズ１３０８が、ＴＤＭＡ３およびＴＤＭＡ４のサイズを示し、Ｌ１層内周ＡＴＤＭＡサイズ１３０９が、ＴＤＭＡ５のサイズを示す。【００３２】
また、ユーザデータ領域のサイズは、ＰＩＣに含まれる各記録層のデータ領域の先頭物理アドレスや終端物理アドレス、ＤＤＳに含まれるユーザデータ領域の論理終端セクタアドレス１３０２などのディスクの記録容量に関する情報と、ＤＤＳに含まれるスペア領域のサイズ１３０３、１３０４、１３０５を用いて求めることができる。【００３３】
スペア領域とＡＴＤＭＡは、フォーマット処理によっては割り当てられない場合があり、割り当てられない場合は、ＤＤＳに含まれる各サイズには、０が格納される。【００３４】
ＤＦＬは、８ブロックで構成されおり、各ブロックの位置情報を管理するために、ＤＦＬ位置情報が８個ある。ＳＢＭは、記録層毎に管理しているため、Ｌ０層用とＬ１層用の２個のＳＢＭ位置情報がある（例えば、特許文献４を参照）。【００３５】
ＤＤＳヘッダ１３０１は、ＤＤＳか否かを識別するための識別子などを含む。【００３６】
図２は、ＳＢＭのデータ構造を示す図である。【００３７】
ＳＢＭ２００には、ＳＢＭヘッダ２０１と、ユーザデータ領域の記録状態を示すビットマップ情報２０２が含まれる。ＳＢＭ２００は、１セクタのＤＤＳとともに記録される情報で、３１セクタで構成される。【００３８】
ビットマップ情報２０２は、ユーザデータ領域の１ブロックを１ビットとして管理し、記録済のブロックを１、未記録のブロックを０とすることで、記録状態を管理している（例えば特許文献２）。【００３９】
ＳＢＭヘッダ２０１には、レイヤ情報が含まれ、そのＳＢＭがどの記録層を管理しているものか識別できるようになっている。また、ＳＢＭヘッダ２０１には、ビットマップ情報２０２が管理する領域の先頭物理アドレスとビットマップ情報のサイズも含まれており、有効なビットマップ情報のサイズと、ビットマップ情報が管理するユーザデータ領域の範囲が識別できるようになっている。また、ＳＢＭヘッダには、ＳＢＭか否かを識別するための識別子なども含まれる。【００４０】
なお、ＤＭＡには、それ以降の新規記録（追記）を禁止し、再生専用とするファイナライズ（ディスククローズ）時に、ディスクの最終状態を示す管理情報が記録される。【００４１】
図１４は、２層ＢＤ−ＲのＴＤＭＡ（Ｔｅｍｐｏｒａｒｙ  Ｄｉｓｃ  Ｍａｎａｇｅｍｅｎｔ  Ａｒｅａ）の領域構造を示す図である。【００４２】
ＴＤＭＡにおけるＳＢＭ、ＤＤＳ、ＤＦＬのそれぞれのデータ構造は、ＤＭＡにおけるそれらのデータ構造と同じである。ＴＤＭＡがＤＭＡと異なる点は、ＤＦＬの記録ブロック数と、ＤＤＳがブロックの最終セクタに記録されること、ＤＦＬを記録する際にもＤＤＳを記録することなどである。【００４３】
ＴＤＭＡは、ＢＤ−Ｒで欠陥管理を実現するために設けられた領域である。ＢＤ−Ｒでは、ＤＭＡに上書き記録ができないため、ディスクがファイナライズされるまでの間、ＴＤＭＡに管理情報を追記し、更新していくことで、欠陥やディスクの記録状態を管理している。【００４４】
そのため、領域を有効に利用し、領域枯渇を防ぐために、ＴＤＭＡには、必要な情報のみが記録される。従って、例えば、欠陥が少なくＤＦＬが４ブロックで収まる場合、４ブロックのみ記録される。【００４５】
ブロックの最終セクタにＤＤＳを記録する理由としては、最新のＤＤＳが、ＴＤＭＡの記録・未記録境界の直前に位置するセクタに必ず記録されるようにするためである。これにより、ＴＤＭＡの記録・未記録境界を探索し、探索した境界の直前に位置するセクタを再生することで、最新のＤＤＳを取得できる。なお、ＤＦＬを更新する際にＤＤＳを記録するのも同じ理由からである（例えば、特許文献１を参照）。【００４６】
以上のように、ＢＤ−Ｒにおいて欠陥管理を実現している。【００４７】
近年、光ディスクにおいては、更なる大容量化が進んでいる。光ディスクの記録容量を高める方法として、記録するマークやスペースの長さとトラックピッチを短くして、記録層１層あたりの記録密度を高める方法と、記録層を多層化して記録容量を高める方法とがある。【００４８】
記録密度を高め、記録層１層あたりの記録容量が増加すると、ユーザデータ領域のサイズが増加する。シーケンシャル記録モードの場合、ＤＤＳとともに記録されるユーザデータ領域の記録状態を管理するＳＲＲＩは、ＳＲＲの開始アドレスと最終記録済みアドレスとで管理するため、ＳＲＲＩはユーザデータ領域サイズに依存せず、ＤＤＳとＳＲＲＩは１ブロックで構成される。
【先行技術文献】
【特許文献】
【００４９】
【特許文献１】特許第４２２４３９１号
【特許文献２】特開２００７−４２２７７号公報
【特許文献３】特表２００７−５０９４５３号公報
【特許文献４】特開２００８−２９３５７１号公報
【発明の概要】
【発明が解決しようとする課題】
【００５０】
しかしながら、ＳＢＭは、ユーザデータ領域の１ブロックを１ビットで管理するため、ＳＢＭ管理対象であるユーザデータ領域のサイズが増加すると、ＳＢＭのビットマップ情報も増加してしまう。【００５１】
ＳＢＭは、１セクタのビットマップ情報で１６３８４個のブロックを管理することが可能である。例えば、ＳＢＭヘッダを１セクタとすると、ＳＢＭとＤＤＳで構成される１ブロックのディスク管理情報では、４９１５２０個のブロックが管理可能である。従って、記録層１層あたりの記録容量が、約３２．２ギガバイトを超えると、ディスク管理情報を記録するのに、２ブロック以上必要になる。【００５２】
また、ＳＢＭ管理対象のユーザデータ領域は、データ領域からスペア領域を除いた領域であるため、スペア領域のサイズによって、ユーザデータ領域のサイズも変化する。すなわち、ＳＢＭのサイズもスペア領域のサイズによって変化することになる。【００５３】
例えば、記録層１層あたりの記録容量を３５ギガバイト、スペア領域に割り当てられる最大サイズを、ＩＳＡ０が１ギガバイト、ＯＳＡ０／１がそれぞれ１５ギガバイト、ＩＳＡ１が２ギガバイトとする。ここで、ユーザデータ領域を最も大きいサイズに割り当てた（全てのスペア領域サイズを０にした）場合、ユーザデータ領域のサイズは、Ｌ０層、Ｌ１層ともに３５ギガバイトとなり、Ｌ０層、Ｌ１層ともにディスク管理情報のサイズは２ブロックになる。【００５４】
逆に、最も少なくユーザデータ領域を割り当てた（全てのスペア領域に最大サイズを割り当てた）場合、ユーザデータ領域のサイズは、Ｌ０層が１９ギガバイト、Ｌ１層が１８ギガバイトとなり、Ｌ０層、Ｌ１層ともにディスク管理情報のサイズは１ブロックになる。【００５５】
また、ＩＳＡ０、ＯＳＡ０、ＯＳＡ１にそれぞれ１ギガバイトを割り当て、ＩＳＡ１に２ギガバイト割り当てた場合、Ｌ０層のユーザデータ領域のサイズは３３ギガバイトとなり、ディスク管理情報領域のサイズは２ブロックとなるが、Ｌ１層のユーザデータ領域のサイズは３２ギガバイトとなり、ディスク管理情報のサイズは１ブロックになる。【００５６】
このように、ユーザデータ領域のサイズ（スペア領域のサイズ）によって、ディスク管理情報のサイズが異なり、Ｌ０層とＬ１層とで異なる場合もある。【００５７】
すなわち、ユーザデータ領域のサイズ（スペア領域のサイズ）に依存して、ディスク管理情報のサイズが変化してしまう。【００５８】
しかし、従来技術では、ユーザデータ領域のサイズ（スペア領域のサイズ）に依存して、ビットマップ情報のサイズが変化し、ＳＢＭが１ブロックで収まらない場合における、ディスク管理情報の管理方法は提案されていない。【００５９】
本発明は、上記の問題点を鑑みてなされたものであり、記録層１層あたりの記録容量が増加し、スペア領域のサイズによってＳＢＭのサイズが変化する場合でも、ディスク管理情報が取得可能な追記型情報記録媒体を提供する。また、本発明は、そのような追記型情報記録媒体に対して記録および／または再生を行う方法および装置を提供する。
【課題を解決するための手段】
【００６０】
本発明の情報記録媒体は、ブロック単位に記録再生を行う追記型の情報記録媒体であって、前記情報記録媒体は、第１から第ｎ（ｎは、ｎ≧１である整数）の記録層を備え、前記第１から第ｎの記録層は、それぞれ、ユーザデータを記録する第１から第ｎのユーザデータ領域を備え、前記第１から第ｎの記録層のうちの少なくとも１つの記録層は、前記情報記録媒体に関するディスク管理情報を記録するディスク管理領域を備え、前記ディスク管理情報は、前記情報記録媒体のデータ構造を管理するディスク定義構造と、前記第１から第ｎのユーザデータ領域の記録状態を管理する第１から第ｎのスペースビットマップとを含み、前記第１から第ｎのスペースビットマップは、それぞれ、前記第１から第ｎのユーザデータ領域のブロック毎の記録状態を管理するビットマップ情報を含み、第ｉ（ｉは、１≦ｉ≦ｎである整数）のユーザデータ領域のサイズを最も大きく割り当てた場合において、第ｉのスペースビットマップを格納するのに必要なブロック数は、Ｎi（Ｎiは、Ｎi≧２である整数）であり、実際の前記第ｉのユーザデータ領域のサイズに対して、前記第ｉのスペースビットマップを格納するのに必要なブロック数は、Ｍi（Ｍiは、１≦Ｍi≦Ｎiである整数）であるとすると、Ｍiが２以上の場合には、前記第ｉのスペースビットマップは、それぞれが前記ディスク定義構造と合わせて１つのブロックに収まるサイズである第１〜第Ｍiのスペースビットマップに分けて、前記ディスク管理領域のＭi個のブロックにそれぞれ記録される。【００６１】
ある実施形態によれば、前記Ｍi個のブロックのそれぞれの先頭セクタには、前記ディスク定義構造が記録される。【００６２】
ある実施形態によれば、前記Ｍi個のブロックは、連続するブロックである。【００６３】
ある実施形態によれば、ｎは２以上であり、前記Ｍi個のブロックに後続する（Ｎi−Ｍi）個のブロックの次のブロックから、第ｉ＋１のユーザデータ領域の記録状態を管理する第ｉ＋１のスペースビットマップを含むＭi+1個のブロックが記録される。【００６４】
ある実施形態によれば、前記（Ｎi−Ｍi）個のブロックの先頭セクタには、前記ディスク定義構造が記録されている。【００６５】
ある実施形態によれば、前記（Ｎi−Ｍi）個のブロックにおいて、前記ディスク定義構造が記録されているセクタ以外のセクタには、全て０のデータが記録されている。【００６６】
ある実施形態によれば、前記ディスク定義構造は、前記第１から第ｎのスペースビットマップが記録されうるブロックの位置を示すそれぞれＮ1個、Ｎ2個、…、Ｎi個、…、Ｎn個のスペースビットマップ位置情報を含み、前記スペースビットマップ位置情報は、前記スペースビットマップを含まないブロックに対しては、無効な位置情報が記録される。【００６７】
本発明の情報記録方法は、ブロック単位に記録再生を行う追記型の情報記録媒体に情報を記録する情報記録方法であって、前記情報記録媒体は、第１から第ｎ（ｎは、ｎ≧１である整数）の記録層を備え、前記第１から第ｎの記録層は、それぞれ、ユーザデータを記録する第１から第ｎのユーザデータ領域を備え、前記第１から第ｎの記録層のうちの少なくとも１つの記録層は、前記情報記録媒体に関するディスク管理情報を記録するディスク管理領域を備え、前記ディスク管理情報は、前記情報記録媒体のデータ構造を管理するディスク定義構造と、前記第１から第ｎのユーザデータ領域の記録状態を管理する第１から第ｎのスペースビットマップとを含み、前記第１から第ｎのスペースビットマップは、それぞれ、前記第１から第ｎのユーザデータ領域のブロック毎の記録状態を管理するビットマップ情報を含み、第ｉ（ｉは、１≦ｉ≦ｎである整数）のユーザデータ領域のサイズを最も大きく割り当てた場合において、第ｉのスペースビットマップを格納するのに必要なブロック数は、Ｎi（Ｎiは、Ｎi≧２である整数）であり、前記情報記録方法は、実際の前記第ｉのユーザデータ領域のサイズに対して、前記第ｉのスペースビットマップを格納するのに必要なブロック数は、Ｍi（Ｍiは、１≦Ｍi≦Ｎiである整数）であるとすると、Ｍiが２以上の場合には、前記第ｉのスペースビットマップを、それぞれが前記ディスク定義構造と合わせて１つのブロックに収まるサイズである第１〜第Ｍiのスペースビットマップに分けて、前記ディスク管理領域のＭi個のブロックにそれぞれ記録する。【００６８】
ある実施形態によれば、前記Ｍi個のブロックのそれぞれの先頭セクタに、前記ディスク定義構造を記録する。【００６９】
ある実施形態によれば、前記Ｍi個のブロックは、連続するブロックである。【００７０】
ある実施形態によれば、ｎは２以上であり、前記Ｍi個のブロックに後続する（Ｎi−Ｍi）個のブロックの次のブロックから、第ｉ＋１のユーザデータ領域の記録状態を管理する第ｉ＋１のスペースビットマップを含むＭi+1個のブロックを記録する。【００７１】
ある実施形態によれば、前記（Ｎi−Ｍi）個のブロックの先頭セクタには、前記ディスク定義構造を記録する。【００７２】
ある実施形態によれば、前記（Ｎi−Ｍi）個のブロックにおいて、前記ディスク定義構造が記録されているセクタ以外のセクタには、全て０のデータを記録する。【００７３】
ある実施形態によれば、前記ディスク定義構造は、前記第１から第ｎのスペースビットマップが記録されうるブロックの位置を示すそれぞれＮ1個、Ｎ2個、…、Ｎi個、…、Ｎn個のスペースビットマップ位置情報を含み、前記スペースビットマップ位置情報は、前記スペースビットマップを含まないブロックに対しては、無効な位置情報が記録される。【００７４】
本発明の情報再生方法は、ブロック単位に記録再生を行う追記型の情報記録媒体から情報を再生する情報再生方法であって、前記情報記録媒体は、第１から第ｎ（ｎは、ｎ≧１である整数）の記録層を備え、前記第１から第ｎの記録層は、それぞれ、ユーザデータを記録する第１から第ｎのユーザデータ領域を備え、前記第１から第ｎの記録層のうちの少なくとも１つの記録層は、前記情報記録媒体に関するディスク管理情報を記録するディスク管理領域を備え、前記ディスク管理情報は、前記情報記録媒体のデータ構造を管理するディスク定義構造と、前記第１から第ｎのユーザデータ領域の記録状態を管理する第１から第ｎのスペースビットマップとを含み、前記第１から第ｎのスペースビットマップは、それぞれ、前記第１から第ｎのユーザデータ領域のブロック毎の記録状態を管理するビットマップ情報を含み、第ｉ（ｉは、１≦ｉ≦ｎである整数）のユーザデータ領域のサイズを最も大きく割り当てた場合において、第ｉのスペースビットマップを格納するのに必要なブロック数は、Ｎi（Ｎiは、Ｎi≧２である整数）であり、実際の前記第ｉのユーザデータ領域のサイズに対して、前記第ｉのスペースビットマップを格納するのに必要なブロック数は、Ｍi（Ｍiは、１≦Ｍi≦Ｎiである整数）であるとすると、Ｍiが２以上の場合には、前記第ｉのスペースビットマップは、それぞれが前記ディスク定義構造と合わせて１つのブロックに収まるサイズである第１〜第Ｍiのスペースビットマップに分けて、前記ディスク管理領域のＭi個のブロックにそれぞれ記録されており、前記情報再生方法は、前記Ｍi個のブロックから、前記第ｉのスペースビットマップを再生する。【００７５】
ある実施形態によれば、前記Ｍi個のブロックのそれぞれの先頭セクタには、前記ディスク定義構造が記録されている。【００７６】
ある実施形態によれば、前記Ｍi個のブロックは、連続するブロックである。【００７７】
ある実施形態によれば、ｎは２以上であり、前記Ｍi個のブロックに後続する（Ｎi−Ｍi）個のブロックの次のブロックから、第ｉ＋１のユーザデータ領域の記録状態を管理する第ｉ＋１のスペースビットマップを含むＭi+1個のブロックが記録されており、前記第ｉ＋１のスペースビットマップを、前記Ｍi個のブロックに後続する（Ｎi−Ｍi）個のブロックの次のブロックから再生する。【００７８】
ある実施形態によれば、前記（Ｎi−Ｍi）個のブロックの先頭セクタには、前記ディスク定義構造が記録されている。【００７９】
ある実施形態によれば、前記（Ｎi−Ｍi）個のブロックにおいて、前記ディスク定義構造が記録されているセクタ以外のセクタには、全て０のデータが記録されている。【００８０】
ある実施形態によれば、前記ディスク管理領域から、前記ディスク管理領域に記録されているＮ1、Ｎ2、…、Ｎi、…、Ｎn個の全てのブロックを中断なく再生する。【００８１】
本発明の情報記録装置は、ブロック単位に記録再生を行う追記型の情報記録媒体に情報を記録する情報記録装置であって、前記情報記録媒体は、第１から第ｎ（ｎは、ｎ≧１である整数）の記録層を備え、前記第１から第ｎの記録層は、それぞれ、ユーザデータを記録する第１から第ｎのユーザデータ領域を備え、前記第１から第ｎの記録層のうちの少なくとも１つの記録層は、前記情報記録媒体に関するディスク管理情報を記録するディスク管理領域を備え、前記ディスク管理情報は、前記情報記録媒体のデータ構造を管理するディスク定義構造と、前記第１から第ｎのユーザデータ領域の記録状態を管理する第１から第ｎのスペースビットマップとを含み、前記第１から第ｎのスペースビットマップは、それぞれ、前記第１から第ｎのユーザデータ領域のブロック毎の記録状態を管理するビットマップ情報を含み、第ｉ（ｉは、１≦ｉ≦ｎである整数）のユーザデータ領域のサイズを最も大きく割り当てた場合において、第ｉのスペースビットマップを格納するのに必要なブロック数は、Ｎi（Ｎiは、Ｎi≧２である整数）であり、前記情報記録装置は、実際の前記第ｉのユーザデータ領域のサイズに対して、前記第ｉのスペースビットマップを格納するのに必要なブロック数は、Ｍi（Ｍiは、１≦Ｍi≦Ｎiである整数）であるとすると、Ｍiが２以上の場合には、前記第ｉのスペースビットマップを、それぞれが前記ディスク定義構造と合わせて１つのブロックに収まるサイズである第１〜第Ｍiのスペースビットマップに分けて、前記ディスク管理領域のＭi個のブロックにそれぞれ記録する。【００８２】
本発明の情報再生装置は、ブロック単位に記録再生を行う追記型の情報記録媒体から情報を再生する情報再生装置であって、前記情報記録媒体は、第１から第ｎ（ｎは、ｎ≧１である整数）の記録層を備え、前記第１から第ｎの記録層は、それぞれ、ユーザデータを記録する第１から第ｎのユーザデータ領域を備え、前記第１から第ｎの記録層のうちの少なくとも１つの記録層は、前記情報記録媒体に関するディスク管理情報を記録するディスク管理領域を備え、前記ディスク管理情報は、前記情報記録媒体のデータ構造を管理するディスク定義構造と、前記第１から第ｎのユーザデータ領域の記録状態を管理する第１から第ｎのスペースビットマップとを含み、前記第１から第ｎのスペースビットマップは、それぞれ、前記第１から第ｎのユーザデータ領域のブロック毎の記録状態を管理するビットマップ情報を含み、第ｉ（ｉは、１≦ｉ≦ｎである整数）のユーザデータ領域のサイズを最も大きく割り当てた場合において、第ｉのスペースビットマップを格納するのに必要なブロック数は、Ｎi（Ｎiは、Ｎi≧２である整数）であり、実際の前記第ｉのユーザデータ領域のサイズに対して、前記第ｉのスペースビットマップを格納するのに必要なブロック数は、Ｍi（Ｍiは、１≦Ｍi≦Ｎiである整数）であるとすると、Ｍiが２以上の場合には、前記第ｉのスペースビットマップは、それぞれが前記ディスク定義構造と合わせて１つのブロックに収まるサイズである第１〜第Ｍiのスペースビットマップに分けて、前記ディスク管理領域のＭi個のブロックにそれぞれ記録されており、前記情報再生装置は、前記Ｍi個のブロックから、前記第ｉのスペースビットマップを再生する。【００８３】
本発明の情報記録媒体の製造方法は、ブロック単位に記録再生を行う追記型の情報記録媒体の製造方法であって、前記製造方法は、第１から第ｎ（ｎは、ｎ≧１である整数）の記録層を形成する工程と、前記第１から第ｎの記録層に、それぞれ、ユーザデータを記録する第１から第ｎのユーザデータ領域を形成する工程と、前記第１から第ｎの記録層のうちの少なくとも１つの記録層に、前記情報記録媒体に関するディスク管理情報を記録するディスク管理領域を形成する工程とを含み、前記ディスク管理情報は、前記情報記録媒体のデータ構造を管理するディスク定義構造と、前記第１から第ｎのユーザデータ領域の記録状態を管理する第１から第ｎのスペースビットマップとを含み、前記第１から第ｎのスペースビットマップは、それぞれ、前記第１から第ｎのユーザデータ領域のブロック毎の記録状態を管理するビットマップ情報を含み、第ｉ（ｉは、１≦ｉ≦ｎである整数）のユーザデータ領域のサイズを最も大きく割り当てた場合において、第ｉのスペースビットマップを格納するのに必要なブロック数は、Ｎi（Ｎiは、Ｎi≧２である整数）であり、実際の前記第ｉのユーザデータ領域のサイズに対して、前記第ｉのスペースビットマップを格納するのに必要なブロック数は、Ｍi（Ｍiは、１≦Ｍi≦Ｎiである整数）であるとすると、Ｍiが２以上の場合には、前記第ｉのスペースビットマップは、それぞれが前記ディスク定義構造と合わせて１つのブロックに収まるサイズである第１〜第Ｍiのスペースビットマップに分けて、前記ディスク管理領域のＭi個のブロックにそれぞれ記録される。
【発明の効果】
【００８４】
本発明によれば、ＤＭＡのディスク管理情報を、ディスク管理情報の最大ブロック数に基づいて記録再生を行う。これにより、記録層１層あたりの記録容量が増加してＳＢＭのサイズが変化する場合でも、記録再生するディスク管理情報のサイズは変わらずに、ディスク管理情報を記録再生することができる。すなわち、ＤＤＳとＳＢＭの相互依存関係をなくした記録再生を行うことができる。
【図面の簡単な説明】
【００８５】
【図１】追記型情報記録媒体の領域構造を示す図である。
【図２】ＳＢＭのデータ構造を示す図である。
【図３】記録容量が増加した情報記録媒体のＴＤＭＡのデータ構造を示す図である。
【図４】本発明の実施の形態におけるＤＤＳのデータ構造を示す図である。
【図５】本発明の実施の形態における情報記録再生装置を示す図である。
【図６】本発明の実施の形態におけるＤＭＡを記録する方法を示すフローチャートである。
【図７】本発明の実施の形態におけるディスク管理情報を生成する方法を示すフローチャートである。
【図８】（Ａ）から（Ｃ）は、本発明の実施の形態におけるディスク管理情報を生成するときのメモリの状態を示す図である。
【図９】本発明の実施の形態におけるＤＭＡにディスク管理情報を記録する方法を示すフローチャートである。
【図１０】本発明の実施の形態における記録方法で記録したＤＭＡのデータ構造を示す図である。
【図１１】本発明の実施の形態における記録方法で記録したＤＭＡを再生する方法を示すフローチャートである。
【図１２】（Ａ）および（Ｂ）は、従来の２層ＢＤ−ＲのＤＭＡの領域構造を示す図である。
【図１３】従来の２層ＢＤ−ＲのＤＤＳのデータ構造を示す図である。
【図１４】従来の２層ＢＤ−ＲのＴＤＭＡの領域構造を示す図である。
【図１５】（Ａ）から（Ｃ）は、本発明の実施の形態における記録容量が増加した情報記録媒体のＤＭＡのデータ構造を示す図である。
【発明を実施するための形態】
【００８６】
以下、本発明の実施の形態について、図面を参照しながら説明する。
【００８７】
（実施の形態１）
本発明の実施の形態１における追記型情報記録媒体１００の領域構造は、図１に示したとおりであるので、ここでは詳細な説明の繰り返しは省略する。
【００８８】
なお、図１には一例として、記録層をＬ０、Ｌ１の２層を有する記録媒体を示しているが、本発明はこれに限定されるものではない。第１から第ｎ（ｎは１以上の整数）の記録層を有する情報記録媒体であればよい。例えば、記録光もしくは再生光の入射側から遠い順に、Ｌ０、Ｌ１、・・・、Ｌｎ−１のｎ層（ｎは１以上の整数）の記録層を有する情報記録媒体であってもよい。
【００８９】
また、第１から第ｎの記録層のそれぞれはデータ領域を含み、データ領域はユーザデータが記録されるユーザデータ領域を含む。また、データ領域はユーザデータ領域に欠陥があった場合に、交替記録を行うためのスペア領域を含む。また、第１から第ｎの記録層のうちの少なくとも１つの記録層は、情報記録媒体に関するディスク管理情報を記録するディスク管理領域（ＤＭＡ）を備えている。
【００９０】
また、ディスク管理情報は、情報記録媒体のデータ構造を管理するディスク定義構造（ＤＤＳ）を含む。ディスク定義構造は、情報記録媒体のレイアウト情報（フォーマットやステータスに関する情報）を含んでもよい。また、ディスク管理情報は、第１から第ｎのユーザデータ領域の記録状態を管理する第１から第ｎのスペースビットマップ（ＳＢＭ）を含む。また、第１から第ｎのスペースビットマップは、それぞれ、第１から第ｎのユーザデータ領域のブロック毎の記録状態を管理するビットマップ情報を含む。ビットマップ情報は、ユーザデータ領域の１ブロックを１ビットとして管理し、例えば、記録済のブロックを１、未記録のブロックを０とすることで、記録状態を管理する情報である。
【００９１】
また、ＤＤＳ４００には、ユーザデータ領域とスペア領域のサイズを規定する領域情報が含まれる。領域情報としては、例えば図１３に示す構成であれば、スペア領域のサイズ１３０３、１３０４、１３０５やユーザデータ領域の論理終端セクタアドレス１３０２などが含まれる。
【００９２】
また、第ｉ（ｉは、１≦ｉ≦ｎである整数）のユーザデータ領域を構成するブロック数を、最も多く割り当てた場合（すなわち、ユーザデータ領域として、可能な限り最も大きいサイズを割り当てた場合）において、第ｉのスペースビットマップを格納するのに必要なブロック数は、Ｎi（Ｎiは、Ｎi≧２である整数）であるとする。
【００９３】
ただし、以下詳細な説明のため、本実施形態では一例として、ディスク管理情報のサイズが、ユーザデータ領域のサイズを最も大きく割り当てた場合には２ブロックとなり、最も少なく割り当てた場合には１ブロックになるサイズを、データ領域は有しているものとする。すなわち、それぞれのユーザデータ領域のサイズを最も大きく割り当てた場合には、第１のスペースビットマップを格納するのに必要なブロック数Ｎ1はＮ1＝２であり、第２のスペースビットマップを格納するのに必要なブロック数Ｎ2はＮ2＝２となる。逆に、それぞれのユーザデータ領域を最も少なく割り当てた場合には、第１のスペースビットマップを格納するのに必要なブロック数Ｎ1はＮ1＝１であり、第２のスペースビットマップを格納するのに必要なブロック数Ｎ2はＮ2＝１となる。また、Ｌ０層とＬ１層のデータ領域サイズは、同一であるものとする。
【００９４】
なお、本発明の実施の形態１では、１ブロックは３２セクタで構成され、先頭セクタから順に第１セクタ、第２セクタ、・・・、第３２セクタとする。
【００９５】
図１５は、記録容量が増加した追記型情報記録媒体のＤＭＡのデータ構造の一例を示す図である。
【００９６】
図１５（Ａ）は、ディスク管理情報のサイズが、各記録層とも２ブロックの場合の図である。図１５（Ｂ）は、ディスク管理情報のサイズが、Ｌ０層が２ブロック、Ｌ１層が１ブロックの場合の図である。図１５（Ｃ）は、ディスク管理情報のサイズが、各記録層とも１ブロックの場合の図である。
【００９７】
図１５（Ａ）、（Ｂ）、（Ｃ）では、全記録層のスペースビットマップを格納するのに最低限必要なＮ１＋Ｎ２＝４ブロックが確保されている。
【００９８】
図１５（Ａ）、（Ｂ）のように、例えば、記録層Ｌ０に対するＳＢＭが１ブロックで収まらず２ブロック必要となる場合は、Ｌ０層第１ＳＢＭ、Ｌ０層第２ＳＢＭのように、記録層Ｌ０に対するＳＢＭをそれぞれが１ブロックに収まるサイズ（ＤＤＳと合わせても１ブロックに収まるサイズ）の２つのＳＢＭに分けて、２つのブロック１５０１、１５０２に記録する。
【００９９】
すなわち、本実施形態の情報記録媒体では、ある１つの記録層Ｌｉ−１（ｉは１以上の整数）に対するＳＢＭを格納するために必要なブロック数がＭi個（１≦Ｍi）であるとすると、Ｍiが２以上である場合には、ＳＢＭは、それぞれＤＤＳと合わせて１ブロックに収まるサイズである、第１〜第ＭiのＳＢＭに分けて、Ｍi個のブロックに記録される。
【０１００】
なお、図１５（Ａ）は、記録層Ｌ０に対してＭ1＝２であり、記録層Ｌ１に対してＭ2＝２の場合である。また、図１５（Ｂ）は、記録層Ｌ０に対してはＭ1＝２であり、記録層Ｌ１に対してＭ2＝１の場合である。図１５（Ｃ）は、記録層Ｌ０に対してＭ1＝１であり、記録層Ｌ１に対してＭ2＝１の場合である。
【０１０１】
このように全記録層のスペースビットマップを格納するのに必要なブロックを確保し、各記録層に対するＳＢＭを格納するのに必要なブロック数にＳＢＭを分けて記録することで、ユーザデータ領域のサイズ（スペア領域のサイズ）に依存して、ビットマップ情報のサイズが変化し、ＳＢＭが１ブロックで収まらない場合においても、ディスク管理情報をＤＭＡに格納し、管理することができる。
【０１０２】
また、図１５に示されるように、ＳＢＭが記録されるそれぞれのブロックの先頭セクタには、ＤＤＳが記録されている。
【０１０３】
すなわち、本実施形態の情報記録媒体では、ある１つの記録層Ｌｉ−１（ｉは１以上の整数）に対するＳＢＭを格納するために必要なブロック数がＭi個（１≦Ｍi）であるとすると、Ｍiが２以上である場合には、ＳＢＭは、それぞれＤＤＳと合わせて１ブロックに収まるサイズである、第１〜第ＭiのＳＢＭに分けられて、Ｍi個のブロックに記録されており、それらＭi個のブロックのそれぞれの先頭セクタには、ＤＤＳが記録されている。
【０１０４】
この構成により、Ｍi個のブロックのうちの先頭ブロックだけでなく、先頭ブロック以降のブロックにも、ＤＤＳが記録されることとなる。このため、例えば、先頭ブロックのＤＤＳが埃や傷などによる欠陥により再生できず取得できない場合であっても、他のブロックに格納されたＤＤＳを取得することができる。すなわち、記録再生を行うのに重要な情報であるＤＤＳが、より多く記録され、埃や傷などによる欠陥に対して、強くなる。
【０１０５】
図１５（Ａ）、（Ｂ）のように、記録層Ｌ０に対するＬ０層第１ＳＢＭとＬ０層第２ＳＢＭは、連続する２ブロックに記録されている。同様に、図１５（Ａ）のように、記録層Ｌ１に対するＬ１層第１ＳＢＭとＬ１層第２ＳＢＭは、連続する２ブロックに記録されている。
【０１０６】
すなわち、本実施形態の情報記録媒体では、ある１つの記録層Ｌｉ−１（ｉは１以上の整数）に対するＳＢＭを格納するために必要なブロック数がＭi個（１≦Ｍi）である場合に、第１〜第ＭiのＳＢＭは、連続するＭi個のブロックに記録される。
【０１０７】
この構成により、例えば、ある記録層に対するＳＢＭが、複数のブロックに分かれたＳＢＭとして存在する場合でも、それらは連続するブロックに記録されているので、その複数のブロックのＳＢＭを連続して再生することができ、容易にまとめて取得することができる。
【０１０８】
さらに、Ｍi個のブロックを連続するブロックに記録することによって、Ｍi個のそれぞれのブロックの情報記録媒体上の円周位置を異ならせることができる。情報記録媒体においてはらせん状に情報が記録されるため、もし、Ｍi個のブロックを連続しないブロックにばらばらに記録した場合、その記録されたブロックの位置関係によっては、情報記録媒体上の円周位置が互いにほぼ同じとなってしまう可能性もある。特に、円周が短い情報記録媒体の内周側において、この課題が生じる可能性が高い。もし、Ｍi個のブロックがほぼ同じ円周位置である場合に、その円周位置に埃や傷などによる欠陥が生じると、Ｍi個のブロックのほとんどが欠陥となり再生できなくなってしまう可能性がある。これに対して、Ｍi個のブロックを連続するブロックに記録し、Ｍi個のそれぞれのブロックの情報記録媒体上の円周位置を異ならせることで、Ｍi個のブロックについて、埃や傷などによる欠陥の影響を低減することができる。
【０１０９】
図３は、ディスク管理情報のサイズが、Ｌ０層が２ブロック、Ｌ１層が１ブロックである追記型情報記録媒体のＴＤＭＡのデータ構造の一例を示す図である。
【０１１０】
ＴＤＭＡ３００は、領域を有効に利用し、領域枯渇を防ぐことを考慮して、必要な情報のみが記録される。すなわち、Ｌ１層のディスク管理情報は、１ブロックだけ記録される。
【０１１１】
ＤＭＡには、ＴＤＭＡ内の管理情報の中で、最終状態を示すディスク管理情報、および欠陥管理情報がコピー記録される。ＴＤＭＡのデータを取得してＤＭＡに記録しようとしたとき、例えば図３に示すＴＤＭＡの状態においては、Ｌ１層のディスク管理情報は１ブロックであり、２ブロック目の情報が存在しない。このような場合は、図１５（Ｂ）、（Ｃ）に示すように、２ブロック目（１５１４、１５２４）には何も記録せず、未記録状態のままにしてもよい。
【０１１２】
このように、図１５（Ｂ）、（Ｃ）に示す例では、２ブロック目のＳＢＭが存在しない場合でも、それぞれのディスク管理情報を前詰めして格納せずに、あえて未記録領域である領域１５１４、１５２２、１５２４を設ける。
【０１１３】
すなわち、本実施形態の情報記録媒体では、情報記録媒体が含む複数の記録層である第１〜第ｎの記録層Ｌ０〜Ｌｎ−１のうちのｉ番目の記録層Ｌｉ−１（１≦ｉ≦ｎ）に対して、ユーザデータ領域のサイズを最も大きく割り当てた場合に、ＳＢＭを格納するために必要なブロック数がＮi個（２≦Ｎi）であり、且つ、実際のＳＢＭを格納するために必要なブロック数がＭi個（１≦Ｍi≦Ｎi）であるとすると、Ｍiが２以上である場合には、まず連続するＭi個のブロックにはＤＤＳおよびＳＢＭを含むディスク管理情報が記録される。そして、それに続くＮi−Ｍi個のブロックは未記録領域として設定する。そして、その次のブロックから、ｉ＋１番目の記録層ＬｉのＳＢＭを記録する。なお、図１５（Ａ）のように、Ｍi＝Ｎiであれば、未記録とされた領域（ブロック）は含まれない構成となる。なお、ＤＤＳは、Ｍi個のブロックそれぞれの先頭セクタに記録されていてもよい。
【０１１４】
この構成により、ユーザデータ領域のサイズ（スペア領域のサイズ）に依存して、ディスク管理情報のサイズが変化する場合であっても、ｉ＋１番目の記録層Ｌｉに対するＭi+1個のブロックのディスク管理情報の先頭ブロックは、ＤＭＡ内において、常に同じ位置（ブロック）に記録されていることになる。
【０１１５】
例えば、図１５（Ａ）、（Ｂ）、（Ｃ）を比較すれば分かる通り、記録層Ｌ０に対するディスク管理情報のサイズが、図１５（Ａ）、（Ｂ）では２ブロックであるが図１５（Ｃ）では１ブロックであるように、変化する場合であっても、記録層Ｌ１に対するディスク管理情報の先頭ブロックであるＬ１層ＳＢＭ（Ｌ１層第１ＳＢＭ）は、ＤＭＡ内において、常に同じ位置（領域先頭から３ブロック目）である１５０３、１５１３、１５２３に記録される。
【０１１６】
以上のように、ディスク管理情報のサイズは、ＳＢＭのサイズに依存する。ＳＢＭのサイズは、ユーザデータ領域のサイズに依存し、ユーザデータ領域のサイズは、スペア領域のサイズにより確定するので、ディスク管理情報のサイズを確定するには、ＤＤＳによって規定されるスペア領域のサイズを取得する必要がある。
【０１１７】
しかしながら、ＤＭＡを再生するときには、ＤＤＳは未取得であるため、ディスク管理情報のサイズを確定することができない。もし、ＤＭＡのディスク管理情報を格納するための領域の先頭ブロックにＤＤＳが必ず記録されている場合であっても、その先頭ブロックのＤＤＳが、埃や傷などによる欠陥により再生できず取得できない可能性もある。
【０１１８】
このように、ＤＤＳとＳＢＭは、ＤＤＳが取得できないとＳＢＭのサイズが確定できず、ＳＢＭのサイズが確定できないとＤＤＳが取得できないという相互依存関係になり、ディスク管理情報が取得しにくい。
【０１１９】
そこで、本実施形態では、ｉ番目の記録層Ｌｉ−１に対するディスク管理情報として、連続するＭi個のブロックにＤＤＳおよびＳＢＭを含むディスク管理情報が記録される。そして、それに続くＮi−Ｍi個のブロックは未記録領域とし、その次のブロックから、ｉ＋１番目の記録層ＬｉのＳＢＭが記録される。この記録方法により、ＳＢＭのサイズに関わらず、Ｍi個のブロックのディスク管理情報の先頭ブロックが、ＤＭＡ内において常に同じ位置（ブロック）に記録される。
【０１２０】
これにより、ＳＢＭのサイズに関わらず、ＤＤＳを含むディスク管理情報の少なくとも１つのブロック（例えば、Ｍi個のブロックのディスク管理情報の先頭ブロック）の位置を特定できるため、ＳＢＭのサイズに依存せずにＤＤＳなどのディスク管理情報を容易に取得することができる。
【０１２１】
（実施の形態２）
次に、図１５のようにＤＭＡに情報が記録されたＢＤ−Ｒをドライブに装着して起動する場合において、管理情報を取得するためにＤＭＡを再生する動作を説明する。
【０１２２】
起動時間を短くするためにディスク管理情報の４ブロックを一度に再生しようとした場合、図１５（Ａ）の場合は、４ブロックの全てが記録済であるため一度に再生できる。しかし、図１５（Ｂ）、（Ｃ）の場合は、未記録の領域が含まれるため、一度に再生することはできない。
【０１２３】
また、１ブロックずつ再生しようとすると、図１５（Ｂ）、（Ｃ）の場合、再生しなくてもよい未記録の領域を再生したり、再生しようとするたびにシーク（領域移動）が入ったりするため、起動時間が長くなってしまう。
【０１２４】
このように、未記録領域を含む形でディスク管理情報が記録されている場合、ディスク管理情報の再生に時間を要する可能性がある。
【０１２５】
そこで、本実施形態の情報記録媒体では、情報記録媒体が含む複数の記録層である第１〜第ｎの記録層Ｌ０〜Ｌｎ−１のうちのｉ番目の記録層Ｌｉ−１（１≦ｉ≦ｎ）に対して、ユーザデータ領域のサイズを最も大きく割り当てた場合にＳＢＭを格納するために必要なブロック数がＮi個（２≦Ｎi）であり、実際のＳＢＭを格納するために必要なブロック数がＭi個（１≦Ｍi≦Ｎi）であるとすると、Ｍiが２以上である場合には、まず連続するＭi個のブロックにはＤＤＳおよびＳＢＭを含むディスク管理情報が記録される。そして、それに続くＮi−Ｍi個のブロックは、ＤＤＳを含む情報が記録された領域であってもよい。なお、ＤＤＳは、Ｎi−Ｍi個のブロックそれぞれの先頭セクタに記録されていてもよい。
【０１２６】
この構成により、未記録ブロックを含む形式でディスク管理情報が記録されないため、ディスク管理情報の再生をより短時間で行うことができる。
【０１２７】
さらに、この構成により、ディスク管理情報用の各ブロックには、必ずＤＤＳが記録されることになる。これにより、記録再生を行うのに重要な情報であるＤＤＳがより多く記録され、埃や傷などによる欠陥に対して強くなる。また、ＤＭＡのディスク管理情報を格納するための領域の先頭ブロックにＤＤＳが必ず記録される場合に、その先頭ブロックのＤＤＳが埃や傷などによる欠陥により再生できず取得できない場合であっても、先頭ブロック以降の２番目、３番目、・・・のブロックにもＤＤＳが記録されているため、容易にそれらＤＤＳの位置を特定して取得することができる。
【０１２８】
なお、ＤＤＳは１セクタの情報である。これに対して、１ブロック（１クラスタ）は３２セクタである。つまり、Ｎi−Ｍi個のブロックのそれぞれにおいて、ＤＤＳを記録しても３１セクタ分は残ることとなる。
【０１２９】
そこで、本実施形態の情報記録媒体では、ＤＤＳが記録されたセクタ以外のセクタには、０のデータが記録されていてもよい。
【０１３０】
例えば、ブロックの先頭セクタにＤＤＳが記録され、それに続くセクタには、０のデータが記録されていてもよい。図１０に示すブロック１００４は、このような構成に相当する。
【０１３１】
なお、上述の構成では、Ｎi−Ｍi個のブロックには、ＤＤＳと０のデータが記録されているとしたが、これに限るものではない。例えば、０のデータの代わりに、ＦＦｈのデータであってもよい。ディスクに割り当てられた物理アドレス以外の値のデータであれば、任意の値が記録されてもよい。
【０１３２】
しかしながら、Ｎi−Ｍi個のブロックの一部は、本来はＳＢＭを格納する領域に相当するため、ＤＤＳと０のデータが記録されているほうが好ましい。なぜなら、仮にビットマップ情報として扱われたとすると、そのビットに相当するユーザデータ領域は存在しないが、ビットマップ情報は、“０”を未記録、“１”を記録済とするため、そのユーザデータ領域は未記録と判定され、再生しないようになるからである。
【０１３３】
また、Ｎi−Ｍi個のブロックには、無効なデータではなく、何らかの意味を持つ情報、例えば、ＳＢＭが記録されていてもよい。例えば、図１５（Ｂ）、（Ｃ）において、未記録領域１５１４、１５２２、１５２４の代わりに、それぞれ、Ｌ１層ＳＢＭ、Ｌ０層ＳＢＭ、Ｌ１層ＳＢＭが記録されていてもよい。これにより、ＳＢＭが多重記録されるため、埃や傷などによる欠陥に対しより強くすることができる。
【０１３４】
また、Ｎi−Ｍi個のブロックには、ＳＢＭヘッダが記録されていてもよい。これにより、ＳＢＭと識別できるようになる。この場合、ビットマップ情報サイズを０にしたり、ＳＢＭが管理する領域の先頭物理アドレスを無効な位置情報にしたりすると、格納されているＳＢＭが無効であると再生時に判断できる。
【０１３５】
次に、本発明の実施の形態２における、図１０に示すＤＭＡのデータ構造になるようにＤＭＡを記録する方法を説明する。
【０１３６】
ここでは、ディスク管理情報のサイズが、Ｌ０層が２ブロック、Ｌ１層が１ブロックとなるようにスペア領域を割り当てたものとして説明する。
【０１３７】
本発明の実施の形態２におけるＳＢＭのデータ構造は、図２と同一であるため、ここでは説明は省略する。
【０１３８】
図３は、本発明の実施の形態２におけるＴＤＭＡのデータ構造を示す図である。ＴＤＭＡ３００は、領域を有効に利用し、領域枯渇を防ぐことを考慮して、必要な情報のみが記録される。すなわち、Ｌ１層のディスク管理情報は、１ブロックだけ記録される。
【０１３９】
図４は、本発明の実施の形態２におけるＤＤＳのデータ構造を示す図である。図１３と同一の構成要素には同一番号を付し、説明は省略する。
【０１４０】
本発明の実施の形態２におけるＤＤＳ４００には、ＳＢＭが記録された各ブロックの位置を示すＳＢＭ位置情報が含まれる。位置情報は、例えば、ブロックの先頭物理アドレスなどである。本発明の実施の形態２では、ユーザデータ領域を最も大きいサイズに割り当てた場合、２ブロックにＳＢＭが記録されるので、ＤＤＳ４００には、Ｌ０層第１ＳＢＭ位置情報４０１、Ｌ０層第２ＳＢＭ位置情報４０２、Ｌ１層第１ＳＢＭ位置情報４０３、Ｌ１層第２ＳＢＭ位置情報４０４の４個が含まれる。
【０１４１】
ＳＢＭは、スペア領域のサイズによって、１ブロックしか存在しない場合がある。その場合、ＳＢＭが存在しないブロックに該当する位置情報には、ＳＢＭブロックが存在しないことを表す無効な位置情報、例えば０を記録する。
【０１４２】
例えば、図３のＴＤＭＡ３００において、最新のＴＤＤＳをＴＤＤＳ３０８とすると、ＴＤＤＳ３０８のＬ０層第１ＳＢＭ位置情報４０１は、Ｌ０層第１ＳＢＭ３０１の位置を示している。Ｌ０層第２ＳＢＭ位置情報４０２は、Ｌ０層第２ＳＢＭ３０３の位置を示している。Ｌ１層第１ＳＢＭ位置情報４０３は、Ｌ１層ＳＢＭ３０７の位置の位置を示している。また、Ｌ１層第２ＳＢＭは記録されていないので、Ｌ１層第２ＳＢＭ位置情報としては、０が記録される。
【０１４３】
ＤＭＡには、ＴＤＭＡ内の管理情報の中で、最終状態を示すディスク管理情報、および欠陥管理情報がコピー記録される。また、ＤＤＳには、最新のＴＤＤＳがコピー記録される（ＤＦＬ位置情報を除く）。従って、ＤＤＳ４００の各ＳＢＭ位置情報には、ＴＤＤＳ３０８と同じ位置情報が記録される。
【０１４４】
ここで、情報記録媒体が含む複数の記録層である第１〜第ｎの記録層Ｌ０〜Ｌｎ−１に対して、それぞれのユーザデータ領域のサイズを最も大きく割り当てた場合に、各層に対応するＳＢＭを格納するために必要なブロック数が、それぞれＮ1、Ｎ2、…、Ｎn個であるとする。この場合、ＤＤＳ４００には、それぞれの記録層Ｌ０〜Ｌｎ−１に対するＳＢＭ位置情報として、Ｎ1個のＳＢＭ位置情報、Ｎ2個のＳＢＭ位置情報、…、Ｎn個のＳＢＭ位置情報のそれぞれが含まれる。また、このとき、ＳＢＭを含まないブロックに対しては、無効な位置情報が記録される。
【０１４５】
このように、ＳＢＭが記録された各ブロックの位置情報をＤＤＳに含めることで、有効なＳＢＭが記録されているか否かを、ＤＤＳのみで判別することができる。図１３のように各記録層のＳＢＭが記録された位置を示す位置情報しかないとすると、有効なＳＢＭのサイズは、ＳＢＭヘッダのビットマップ情報サイズを取得するまで分からない。しかしながら、ＳＢＭが記録された各ブロックの位置情報をＤＤＳに含め、そして、有効なＳＢＭが記録されていないブロックの位置情報を０とすることで、ＳＢＭの位置情報が０であるか否かを判定することで、ＳＢＭに依存せずに、ＤＤＳを再生するのみでＳＢＭが有効かどうか判定することができる。
【０１４６】
図５は、本発明の実施の形態２における情報記録再生装置５００の構成を示す図である。
【０１４７】
情報記録再生装置５００は、Ｉ／Ｏバス５８０を介して、上位制御装置（図示せず）に接続される。上位制御装置は、例えばホストコンピュータ（ホストＰＣ）である。
【０１４８】
情報記録再生装置５００は、上位制御装置からの命令を処理する命令処理部５１０と、情報記録媒体１００に対して記録再生を行うためにレーザ光を照射する光ヘッド５２０と、光ヘッド５２０から出力されるレーザ光のパワー等の制御を行うレーザ制御部５３０と、光ヘッド５２０を目標位置へ移動したりサーボ制御を行うためのメカ制御部５４０と、記録用や再生したユーザデータおよびその他情報を格納するメモリ５５０と、ＴＤＭＡやＤＭＡから読み出したＳＢＭ、ＤＤＳ、ＤＦＬなどの管理情報を格納したり、ＴＤＭＡやＤＭＡに記録するために生成した管理情報を格納したりする管理情報格納メモリ５６０と、情報記録媒体１００に対する記録再生処理などのシステム処理全般の統括制御を行うシステム制御部５７０とを備える。
【０１４９】
システム制御部５７０は、記録を行うためのレーザパワーなどの記録条件をレーザ制御部５３０に設定し、メカ制御部５４０を用いて光ヘッド５２０を指定領域に移動させて、光ヘッド５２０から光を照射させることにより、所定メモリの情報を指定領域に記録を行う記録部５７１と、再生を行うためのレーザパワーなどの再生条件をレーザ制御部５３０に設定し、メカ制御部５４０を用いて光ヘッド５２０を指定領域に移動させて、光ヘッド５２０から光を照射させることにより、指定領域から再生を行い、所定メモリに格納する再生部５７２と、管理情報格納メモリ５６０に格納された管理情報の更新を行う管理情報更新部５７３と、管理情報格納メモリ５６０に格納された管理情報からＤＭＡに記録する管理情報を生成する管理情報生成部５７４と、ディスク管理情報の最大ブロック数を決定する最大ブロック数決定部５７５と、制御情報領域からディスク情報を取得するディスク情報取得部５７６と、ＤＭＡに管理情報を記録するために、システム制御部の各部を制御する管理情報記録制御部５７７と、ＤＭＡやＴＤＭＡから管理情報を再生するために、システム制御部の各部を制御する管理情報再生制御部５７８とから構成される。
【０１５０】
図６は、本発明の実施の形態２におけるＤＭＡにディスク管理情報および欠陥管理情報などを記録する方法を示すフローチャートである。
【０１５１】
まず、ステップ６０１において、管理情報再生制御部５７８は、再生部５７２を制御して、ＴＤＭＡから最新のＤＤＳを取得し、管理情報格納メモリ５６０に格納する。ＤＭＡを記録するのは、ファイナライズ（ディスククローズ）する時であるので、この時の最新の管理情報が、情報記録媒体の最終状態を示すことになる。
【０１５２】
次に、ステップ６０２において、管理情報再生部５７８は、ステップ６０１で取得した最新のＤＤＳから第１から第８までのＤＦＬ位置情報を取得し、再生部５７２を制御して、取得した位置情報に記録された最新のＤＦＬを管理情報格納メモリ５６０に格納する。次に、管理情報生成部５７４は、管理情報格納メモリ５６０内に、ＤＭＡに記録する欠陥管理情報を生成して格納するための領域として、８ブロック分確保する。そして、確保した全ブロックを０で初期化し、最新のＤＦＬを各ブロックの対応したメモリ５６０内の位置に格納する。
【０１５３】
次に、ステップ６０３において、管理情報記録制御部５７７は、記録部５７１を制御して、ステップ６０２で生成した８ブロックの欠陥管理情報を、ＤＭＡの先頭から９ブロック目のブロックから７個記録する。
【０１５４】
次に、ステップ６０４において、管理情報更新部５７３は、ステップ６０１で取得したＤＤＳの第１から第８ＤＦＬ位置情報を、ステップ６０３で正しく記録できたＤＭＡ内の欠陥管理情報の各ブロック位置を示す情報に変更する。
【０１５５】
次に、ステップ６０５において、ＤＭＡに記録するディスク管理情報を生成する。本ステップの詳細処理については、後述する。
【０１５６】
次に、ステップ６０６において、ステップ６０５で生成したディスク管理情報を、ＤＭＡの所定の領域に記録する。本ステップの詳細処理については、後述する。
【０１５７】
図７は、本発明の実施の形態２におけるＤＭＡに記録するディスク管理情報を生成する方法を示すフローチャートである。
【０１５８】
まず、ステップ７０１において、ディスク管理情報の最大ブロック数Ｎを求める。具体的には、ディスク情報取得部５７６が、再生部５７２を制御して、制御情報領域からディスク情報を再生し、メモリ５５０に格納する。次に、最大ブロック数決定部５７５が、メモリ５５０に格納されたディスク情報から、各記録層のデータ領域の先頭物理アドレスＴＰＳＮと終端物理アドレスＥＰＳＮを取得する。そして、各記録層のデータ領域の終端物理アドレスＥＰＳＮと先頭物理アドレスＴＰＳＮの差分を、１アドレス当たりのブロック数で割ることで、各記録層のディスク管理情報の最大ブロック数を求める。すなわち、各記録層のディスク管理情報の最大ブロック数をＭＡＸＢＬＫとすると、ＭＡＸＢＬＫ＝（ＥＰＳＮ−ＴＰＳＮ）／（１アドレス当たりのブロック数）、となる。例えば、物理アドレスが１セクタを表すとすると、１アドレス当たりのブロック数は、３２となる。本発明の実施の形態では、Ｌ０層のディスク管理情報の最大ブロック数をＮ１、Ｌ１層のディスク管理情報の最大ブロック数をＮ２とすると、Ｎ１が２ブロック、Ｎ２が２ブロックとなり、ディスク管理情報の最大ブロック数Ｎは、Ｎ１とＮ２の和の４ブロックとなる。
【０１５９】
次に、ステップ７０２において、管理情報生成部５７４は、ＤＭＡに記録するディスク管理情報を生成するのに必要なブロック数が、最大ブロック数Ｎであるので、管理情報格納メモリ５６０に、４ブロック分確保する。
【０１６０】
次に、ステップ７０３において、管理情報生成部５７４は、管理情報格納メモリ５６０に確保した領域のブロック番号Ｚを１に設定する。
【０１６１】
次に、ステップ７０４において、管理情報生成部５７４は、記録層の層番号Ｘを０に設定する。
【０１６２】
次に、ステップ７０５において、管理情報生成部５７４は、ＳＢＭのブロック番号Ｙを１に設定する。
【０１６３】
次に、ステップ７０６において、管理情報生成部５７４は、ステップ６０１で取得したＤＤＳから、ＬＸ層第ＹＳＢＭ位置情報Ｐ（ＬＸ層の第Ｙ番目のＳＢＭの位置情報）を取得する。
【０１６４】
次に、ステップ７０７において、管理情報生成部５７４は、ステップ７０６で取得したＬＸ層第ＹＳＢＭ位置情報Ｐが０であるか否かを判定する。Ｐが０でない、すなわちＳＢＭが記録されている場合（ステップ７０７でＮｏ）、ＳＢＭを再生するため、ステップ７０８の処理に進む。そうでない、すなわちＳＢＭが記録されていない場合（ステップ７０７でＹｅｓ）、ステップ７１０に進む。
【０１６５】
次に、ステップ７０８において、管理情報再生制御部５７８は、再生部５７２を制御して、ステップ７０６で取得したＴＤＭＡ内のＰの位置から、ＬＸ層第ＹＳＢＭを再生し、管理情報格納メモリ５６０に格納する。
【０１６６】
次に、ステップ７０９において、管理情報生成部５７４は、ステップ７０２で確保したメモリの第Ｚブロックの第２セクタから第３２セクタに、ステップ７０８で取得したＬＸ層第ＹＳＢＭを格納する。
【０１６７】
次に、ステップ７１０において、管理情報生成部５７４は、ステップ７０２で確保したメモリの第Ｚブロックの第２セクタから第３２セクタに、全て０のデータを格納する。
【０１６８】
次に、ステップ７１１において、管理情報生成部５７４は、ステップ６０４でＤＦＬ位置情報を変更したＤＤＳを、ステップ７０２で確保したメモリの第Ｚブロックの第１セクタに格納する。
【０１６９】
次に、ステップ７１２において、管理情報生成部５７４は、管理情報格納メモリ５６０に確保した領域のブロック番号ＺをＺ＋１に更新する。
【０１７０】
次に、ステップ７１３において、管理情報生成部５７４は、ＳＢＭのブロック番号ＹをＹ＋１に更新する。
【０１７１】
次に、ステップ７１４において、管理情報生成部５７４は、ＳＢＭブロック番号Ｙが各記録層のディスク管理情報の最大ブロック数ＮＹより大きいか否かを判定する。大きいと判定された場合、すなわちＬＸ層で生成するディスク管理情報がない場合（ステップ７１４でＹｅｓ）、ステップ７１５に進む。そうでない場合、すなわちＬＸ層で生成するディスク管理情報がある場合（ステップ７１４でＮｏ）、ディスク管理情報を生成するため、ステップ７０６の処理に進む。本発明の実施の形態において、ＳＢＭブロック番号Ｙと比較する各記録層のディスク管理情報の最大ブロック数は、Ｌ０層がＮ0＝２、Ｌ１層がＮ1＝２となる。
【０１７２】
次に、ステップ７１５において、管理情報生成部５７４は、記録層の層番号ＸをＸ＋１に更新する。
【０１７３】
次に、ステップ７１６において、管理情報生成部５７４は、ディスク情報から記録層の層数を取得し、記録層の層番号Ｘが記録層の層数以上であるか否かを判定する。Ｘが記録層の層数未満の場合（ステップ７１６でＮｏ）、別の記録層のディスク管理情報を生成するため、ステップ７０５の処理に進む。Ｘが記録層の層数以上の場合（ステップ７１６でＹｅｓ）、全てのディスク管理情報を生成したので、処理を終了する。
【０１７４】
図８は、本発明の実施の形態２におけるＤＭＡに記録するディスク管理情報を生成するときの管理情報格納メモリの状態の一例を示す図である。図８（Ａ）は、ステップ７０２でメモリ領域が確保された状態を示す図である。図８（Ｂ）は、Ｌ０層のＳＢＭを含むディスク管理情報が生成された状態を示す図である。図８（Ｃ）は、Ｌ１層のＳＢＭを含むディスク管理情報が生成された状態を示す図である。
【０１７５】
本発明の実施の形態では、ディスク管理情報の最大ブロックサイズが４ブロックであるため、ステップ７０２において、４ブロック分のメモリ領域が管理情報格納メモリ内に確保される。
【０１７６】
層番号Ｘを０とし、ステップ７０５からステップ７１３でＹｅｓと判定されるまでの処理を実行すると、Ｌ０層のディスク管理情報は、第１ブロックにＴＤＭＡに記録されていたＬ０層第１ＳＢＭ３０１が格納され、第２ブロックにＴＤＭＡに記録されていたＬ０層第２ＳＢＭ３０３が格納される。また、第１ブロック、第２ブロックの先頭位置には、ＤＤＳが格納された状態となる。
【０１７７】
同様に層番号Ｘを１とすると、ステップ７０８、ステップ７０９において、第３ブロックにＴＤＭＡに記録されていたＬ１層ＳＢＭ３０７が格納されるが、２ブロック目は存在しないため、ステップ７０７において、Ｐが０であると判定され、全て０のデータが格納される。したがって、図８（Ｃ）に示すように、第４ブロックには、先頭領域にＤＤＳが格納され、ＳＢＭ領域には全て０のデータが格納されることになる。
【０１７８】
このように、本発明の実施の形態２におけるディスク管理情報の生成方法によると、ＳＢＭが存在する場合は、ＤＤＳとＳＢＭを含むディスク管理情報が生成され、ＳＢＭが存在しない（ディスク管理情報が最大ブロック数に満たない）場合は、ＤＤＳは含むがＳＢＭは含まないディスク管理情報が生成される。すなわち、ＤＤＳとＳＢＭを含むディスク管理情報が３ブロック生成され、ＤＤＳは含むがＳＢＭは含まないディスク管理情報が１ブロック生成される。
【０１７９】
なお、本発明の実施の形態におけるディスク管理情報の生成方法では、ＳＢＭが存在しない場合、０のデータを格納するとしたが、これに限るものではない。例えば、全てＦＦｈのデータであってもよい。しかしながら、ＤＤＳは含むがＳＢＭは含まないディスク管理情報の残りの領域は、ＳＢＭを格納する領域に相当するため、０であるほうが好ましい。なぜなら、仮にビットマップ情報として扱われたとすると、そのビットに相当するユーザデータ領域は存在しないが、ビットマップ情報は、“０”を未記録、“１”を記録済とするため、そのユーザデータ領域は未記録と判定され、再生しないようになるからである。
【０１８０】
また、無効なデータではなく、ＳＢＭを格納して生成してもよい。すなわち、ステップ７０７でＰが０であると判定された場合、Ｌ１層ＳＢＭ３０７を格納し、Ｌ１層のディスク管理情報として、ＤＤＳとＬ１層ＳＢＭ３０７を含むディスク管理情報を２ブロック生成してもよい。これにより、ＳＢＭを多重記録するため、埃や傷などによる欠陥に対し、より強くすることができる。
【０１８１】
また、ＳＢＭと識別できるように、ＳＢＭヘッダを生成してもよい。その場合、ビットマップ情報サイズを０にしたり、ＳＢＭが管理する領域の先頭物理アドレスを無効な位置情報にしたりすると、格納されているＳＢＭが無効であると判断できる。
【０１８２】
また、ステップ７１０において、全て０のデータを格納するとしたが、ステップ７０２において、領域を確保した後、確保した領域を０で初期化することにより、０データを格納してもよい。
【０１８３】
また、ステップ６０１、６０２、７０８において、ＴＤＭＡから最新のＤＤＳ、ＤＦＬ、ＳＢＭを再生して取得するとしたが、管理情報格納メモリに既に最新のＤＤＳ、ＤＦＬ、ＳＢＭが格納されていれば、再生する必要はなく、管理情報格納メモリに格納された情報を使用してもよい。
【０１８４】
また、ステップ７０１において、ディスク管理情報の最大ブロック数を、ディスク情報のデータ領域と先頭物理アドレスと終端物理アドレスに基づいて求めたが、データ領域のサイズ（容量）がわかる情報であればよい。例えば、チャネルビットレングスは、データ領域の容量によって異なるため、チャネルビットレングスに基づいて求めてもよい。また、名目記録速度もデータ領域の容量によって異なるため、名目記録速度に基づいて求めてもよい。また、ＤＤＳには、ユーザデータ領域の論理終端セクタアドレスが格納されているため、ユーザデータ領域の論理終端セクタアドレスとスペア領域のサイズに基づいて求めてもよい。また、記録層の層数でデータ領域のサイズが一意に決まる場合は、層数に対応したデータ領域のサイズを保持しておき、層数によりデータ領域のサイズを求めてもよい。
【０１８５】
また、ステップ７０１において、各記録層のディスク管理情報の最大サイズＮ１、Ｎ２を求めたが、各記録層のデータ領域のサイズが同一である場合は、どちらか一方のディスク管理情報の最大サイズを求め、記録層の層数をかけることにより求めてもよい。
【０１８６】
また、本発明の実施の形態では、ＤＤＳに、ＳＢＭが記録された各ブロックの位置情報を格納することで、有効なＳＢＭが記録されているか否かを、ＤＤＳのみで判別することができる。図１３のように各記録層のＳＢＭが記録された位置を示す位置情報しかないとすると、有効なＳＢＭのサイズは、ＳＢＭヘッダのビットマップ情報サイズを取得するまで分からない。しかしながら、ＤＤＳに、ＳＢＭが記録された各ブロックの位置情報を格納し、有効なＳＢＭが記録されていないブロックの位置情報を０とし、ＳＢＭの位置情報が０であるか否かを判定することで、ＳＢＭに依存せずに、ＤＤＳのみでＳＢＭが有効かどうか判定することができる。
【０１８７】
なお、ＳＢＭが記録されていないブロックの位置情報を０としたが、無効な位置情報が格納されればよいのであって、これに限るものではない。例えば、全てＦＦｈのデータであってもよい。例えば、ディスクに割り当てられた物理アドレス以外であれば、どんな値でもよい。
【０１８８】
図９は、本発明の実施の形態２における生成したディスク管理情報をＤＭＡに記録する方法を示すフローチャートである。
【０１８９】
まず、ステップ９０１において、管理情報記録制御部５７７は、記録済ブロック数Ｘを０に設定する。
【０１９０】
次に、ステップ９０２において、管理情報記録制御部５７７は、記録を行うＤＭＡの位置情報と、記録ブロック数Ｙと、記録するディスク管理情報が格納されているメモリの位置情報を決定する。
【０１９１】
次に、ステップ９０３において、管理情報記録制御部５７７は、記録部５７１を制御して、ステップ９０２で決定したメモリの位置情報からＹブロックのデータを、ＤＭＡの記録位置に記録する。
【０１９２】
次に、ステップ９０４において、管理情報記録制御部５７７は、記録済ブロック数ＸをＸ＋Ｙに更新する。
【０１９３】
次に、ステップ９０５において、管理情報記録制御部５７７は、記録済ブロック数Ｘが全記録ブロック数以上であるか否かを判定する。Ｘが全記録ブロック数に満たない場合（ステップ９０５でＮｏ）、次のディスク管理情報を記録するため、ステップ９０２の処理に進む。Ｘが全記録ブロック数以上である場合（ステップ９０５でＹｅｓ）、全ディスク管理情報を記録したので、処理を終了する。
【０１９４】
図１０は、本発明の実施の形態２におけるＤＭＡの記録方法で記録したときのＤＭＡのデータ構造を示す図である。
【０１９５】
ここで、ＤＭＡ１０００には、図１５（Ｂ）に示すように、Ｌ０層とＬ１層のＳＢＭを２回繰り返して記録し、２回目はＬ１層のＳＢＭから先に記録するものとする。したがって、ステップ９０５の全記録ブロック数は、８となる。
【０１９６】
Ｌ０層とＬ１層のディスク管理情報は、図８（Ｃ）のように４ブロック連続して格納されている。したがって、ＤＭＡの位置情報をＤＭＡの先頭ブロック１００１、記録ブロック数を４ブロック、メモリの位置情報を図８（Ａ）の第１ブロックとして、記録を行う。
【０１９７】
次に、Ｌ１層のディスク管理情報を記録するため、ＤＭＡの位置情報をＤＭＡの５番目のブロック１００５、記録ブロック数を２ブロック、メモリの位置情報を図８（Ａ）の第３ブロックとして、記録を行う（すなわち、図８（Ａ）の第３ブロックの情報をＤＭＡの５番目のブロック１００５に記録する）。
【０１９８】
そして、Ｌ０層のディスク管理情報を記録するため、ＤＭＡの位置情報をＤＭＡの７番目のブロック１００７、記録ブロック数を２ブロック、メモリの位置情報を図８（Ａ）の第１ブロックとして、記録を行う。これにより、図１０に示すようなＤＭＡのデータ構造となる。
【０１９９】
このように、本発明の実施の形態２におけるＤＭＡを記録する方法によれば、ディスク管理情報の最大ブロック数を求め、最大ブロック数分のディスク管理情報を生成してＤＭＡに記録を行うため、ＳＢＭのサイズが変化しても、記録するディスク管理情報のサイズは変わらない。したがって、ＳＢＭのサイズに依存せず、ディスク管理情報を記録することができる。すなわち、ＤＭＡの領域配置を確定させ、ＤＤＳとＳＢＭの相互依存関係をなくした記録を行うことができる。
【０２００】
また、ＤＭＡには、ＤＤＳとＳＢＭを含むブロックと、ＤＤＳは含むがＳＢＭは含まないブロックが記録され、各ブロックの先頭セクタには、必ずＤＤＳが記録されることになる。これにより、記録再生を行うのに重要な情報であるＤＤＳが、より多く記録され、埃や傷などによる欠陥に対して、強くなる。
【０２０１】
また、ディスク管理情報が記録されている間の領域に未記録の領域が存在しないので、連続して記録できるため、シーク時間がなくなり、ファイナライズにかかる時間を短縮することができる。
【０２０２】
次に、本実施形態の情報記録方法、および、情報記録装置の構成・動作をさらに説明する。
【０２０３】
図１５（Ａ）、（Ｂ）のように、例えば、記録層Ｌ０に対するＳＢＭが１ブロックで収まらず２ブロック必要となる場合は、Ｌ０層第１ＳＢＭ、Ｌ０層第２ＳＢＭのように、記録層Ｌ０に対するＳＢＭをそれぞれが１ブロックに収まるサイズ（ＤＤＳと合わせても１ブロックに収まるサイズ）の２つのＳＢＭに分けて、２つのブロック１５０１、１５０２に記録する。図１０の例であれば、記録層Ｌ０に対するＬ０層第１ＳＢＭ、Ｌ０層第２ＳＢＭを、ブロック１００１、１００２に記録する。
【０２０４】
すなわち、本実施形態の情報記録方法および情報記録装置では、ある１つの記録層Ｌｉ−１（ｉは１以上の整数）に対するＳＢＭを格納するために必要なブロック数がＭi個（１≦Ｍi）であるとすると、Ｍiが２以上である場合には、ＳＢＭを、それぞれＤＤＳと合わせて１ブロックに収まるサイズである、第１〜第ＭiのＳＢＭに分けて、Ｍi個のブロックに記録する。
【０２０５】
なお、図１５（Ａ）は、記録層Ｌ０に対してＭ1＝２であり、記録層Ｌ１に対してＭ2＝２の場合である。また、図１５（Ｂ）および図１０は、記録層Ｌ０に対してはＭ1＝２であり、記録層Ｌ１に対してＭ2＝１の場合である。
【０２０６】
このように記録することで、ユーザデータ領域のサイズ（スペア領域のサイズ）に依存して、ビットマップ情報のサイズが変化し、ＳＢＭが１ブロックで収まらない場合においても、ディスク管理情報をＤＭＡに格納し、管理することができる。
【０２０７】
図１５および図１０に示されるように、ＳＢＭが記録されるブロックの先頭セクタには、ＤＤＳが記録される。
【０２０８】
すなわち、本実施形態の情報記録方法および情報記録装置では、ある１つの記録層Ｌｉ−１（ｉは１以上の整数）に対するＳＢＭを格納するために必要なブロック数がＭi個（１≦Ｍi）であるとすると、Ｍiが２以上である場合には、ＳＢＭを、それぞれＤＤＳと合わせて１ブロックに収まるサイズである、第１〜第ＭiのＳＢＭに分けて、Ｍi個のブロックに記録し、Ｍi個のブロックのそれぞれの先頭セクタに、ＤＤＳを記録する。
【０２０９】
この構成により、Ｍi個のブロックのうちの先頭ブロックだけでなく、先頭ブロック以降のブロックにも、ＤＤＳが記録されることとなる。このため、例えば、先頭ブロックのＤＤＳが埃や傷などによる欠陥により再生できず取得できない場合であっても、他のブロックに格納されたＤＤＳを取得することができる。すなわち、記録再生を行うのに重要な情報であるＤＤＳが、より多く記録され、埃や傷などによる欠陥に対して、強くなる。
【０２１０】
図１５（Ａ）、（Ｂ）および図１０のように、記録層Ｌ０に対するＬ０層第１ＳＢＭとＬ０層第２ＳＢＭは、連続する２ブロックに記録される。同様に、図１５（Ａ）ように、記録層Ｌ１に対するＬ１層第１ＳＢＭとＬ１層第２ＳＢＭは、連続する２ブロックに記録される。
【０２１１】
すなわち、本実施形態の情報記録方法および情報記録装置では、ある１つの記録層Ｌｉ−１（ｉは１以上の整数）に対するＳＢＭを格納するために必要なブロック数がＭi個（１≦Ｍi）であるとすると、Ｍiが２以上である場合には、第１〜第ＭiのＳＢＭを、連続するＭi個のブロックに記録する。
【０２１２】
このように記録することにより、例えば、ある記録層に対するＳＢＭが、複数のブロックに分かれたＳＢＭとして存在する場合でも、それらは連続するブロックに記録されるので、その複数のブロックのＳＢＭを連続して再生することができ、容易にまとめて取得することができる。
【０２１３】
さらに、Ｍi個のブロックを連続するブロックに記録することによって、Ｍi個のそれぞれのブロックの情報記録媒体上の円周位置を異ならせることができる。情報記録媒体においてはらせん状に情報が記録されるため、もし、Ｍi個のブロックを連続しないブロックにばらばらに記録した場合、その記録されたブロックの位置関係によっては、情報記録媒体上の円周位置が互いにほぼ同じとなってしまう可能性もある。特に、円周が短い情報記録媒体の内周側において、この課題が生じる可能性が高い。もし、Ｍi個のブロックがほぼ同じ円周位置である場合に、その円周位置に埃や傷などによる欠陥が生じると、Ｍi個のブロックのほとんどが欠陥となり再生できなくなってしまう可能性がある。これに対して、Ｍi個のブロックを連続するブロックに記録することによって、Ｍi個のそれぞれのブロックの情報記録媒体上の円周位置を異ならせることで、Ｍi個のブロックについて、埃や傷などによる欠陥の影響を低減することができる。
【０２１４】
ＤＭＡには、ＴＤＭＡ内の管理情報の中で、最終状態を示すディスク管理情報、および欠陥管理情報がコピー記録される。ＴＤＭＡのデータを取得してＤＭＡに記録しようとすると、例えば図３に示すＴＤＭＡの状態においては、Ｌ１層のディスク管理情報は１ブロックであり、２ブロック目の情報が存在しない。この場合は、図１５（Ｂ）、（Ｃ）および図１０に示すように、２ブロック目（１５１４、１５２４、１００４）には何も記録せず、未記録状態のままにしてもよい。
【０２１５】
このように、図１５（Ｂ）、（Ｃ）および図１０に示す例では、２ブロック目のＳＢＭが存在しない場合でも、それぞれのディスク管理情報を前詰めして格納せずに、あえて未記録領域である領域１５１４、１５２２、１５２４、１００４を設ける。
【０２１６】
すなわち、本実施形態の情報記録方法および情報記録装置では、情報記録媒体が含む複数の記録層である第１〜第ｎの記録層Ｌ０〜Ｌｎ−１のうちのｉ番目の記録層Ｌｉ−１（１≦ｉ≦ｎ）に対して、ユーザデータ領域のサイズを最も大きく割り当てた場合にＳＢＭを格納するために必要なブロック数がＮi個（２≦Ｎi）であり、且つ、実際のＳＢＭを格納するために必要なブロック数がＭi個（１≦Ｍi≦Ｎi）であるとすると、Ｍiが２以上である場合には、まず連続するＭi個のブロックにはＤＤＳおよびＳＢＭを含むディスク管理情報を記録する。そして、それに続くＮi−Ｍi個のブロックは未記録領域としておく。そして、その次のブロックから、第ｉ＋１番目の記録層ＬｉのＳＢＭを記録する。なお、図１５（Ａ）のように、Ｍi＝Ｎiであれば、未記録とされた領域（ブロック）は含まれない構成となる。
【０２１７】
このように記録することにより、ユーザデータ領域のサイズ（スペア領域のサイズ）に依存して、ディスク管理情報のサイズが変化する場合であっても、ｉ＋１番目の記録層Ｌｉに対するＭi+1個のブロックのディスク管理情報の先頭ブロックは、ＤＭＡ内において、常に同じ位置（ブロック）に記録されることとなる。
【０２１８】
例えば、図１５（Ａ）、（Ｂ）、（Ｃ）を比較すれば分かる通り、記録層Ｌ０に対するディスク管理情報のサイズが、（Ａ）、（Ｂ）では２ブロックであるが、図１５（Ｃ）では１ブロックのように変化する場合であっても、記録層Ｌ１に対するディスク管理情報の先頭ブロックであるＬ１層ＳＢＭ（Ｌ１層第１ＳＢＭ）は、ＤＭＡ内において、常に同じ位置（領域先頭から３ブロック目）である１５０３、１５１３、１５２３に記録される。
【０２１９】
ディスク管理情報のサイズは、ＳＢＭのサイズに依存する。ＳＢＭのサイズは、ユーザデータ領域のサイズに依存し、ユーザデータ領域のサイズは、スペア領域のサイズにより確定するので、ディスク管理情報のサイズを確定するには、ＤＤＳによって規定されるスペア領域のサイズを取得する必要がある。
【０２２０】
しかしながら、ＤＭＡを再生するときには、ＤＤＳは未取得であるため、ディスク管理情報のサイズを確定することができない。もし、ＤＭＡのディスク管理情報を格納するための領域の先頭ブロックにＤＤＳが必ず記録されている場合であっても、その先頭ブロックのＤＤＳが、埃や傷などによる欠陥により再生できず取得できない可能性もある。
【０２２１】
このように、ＤＤＳとＳＢＭは、ＤＤＳが取得できないとＳＢＭのサイズが確定できず、ＳＢＭのサイズが確定できないとＤＤＳが取得できないという相互依存関係になり、ディスク管理情報が取得しにくい。
【０２２２】
そこで、本実施形態では、ｉ番目の記録層Ｌｉ−１に対するディスク管理情報として、連続するＭi個のブロックにＤＤＳおよびＳＢＭを含むディスク管理情報を記録する。そして、それに続くＮi−Ｍi個のブロックは未記録領域とし、その次のブロックから、第ｉ＋１番目の記録層ＬｉのＳＢＭを記録する。この記録方法により、ＳＢＭのサイズに関わらず、Ｍi個のブロックのディスク管理情報の先頭ブロックが、ＤＭＡ内において常に同じ位置（ブロック）に記録される。
【０２２３】
これにより、ＳＢＭのサイズに関わらず、ＤＤＳを含むディスク管理情報の少なくとも１つのブロック（例えば、Ｍi個のブロックのディスク管理情報の先頭ブロック）の位置を特定できるため、ＳＢＭのサイズに依存せずにＤＤＳなどのディスク管理情報を容易に取得することができる。
【０２２４】
次に、図１５のようにＤＭＡに情報が記録されたＢＤ−Ｒをドライブに装着して起動する場合において、管理情報を取得するために、ＤＭＡを再生する動作を考える。
【０２２５】
起動時間を短くするために、ディスク管理情報の４ブロックを一度に再生しようとした場合、図１５（Ａ）の場合は、４ブロックの全てが記録済であるため一度に再生できる。しかし、図１５（Ｂ）、（Ｃ）の場合は、未記録の領域が含まれるため、一度に再生することはできない。
【０２２６】
また、１ブロックずつ再生しようとすると、図１５（Ｂ）、（Ｃ）の場合、再生しなくてもよい未記録の領域を再生したり、再生しようとするたびにシーク（領域移動）が入ったりするため、起動時間が長くなってしまう。
【０２２７】
このように、未記録領域を含む形で、ディスク管理情報が記録されている場合、ディスク管理情報の再生に時間を要する可能性がある。
【０２２８】
そこで、本実施形態の情報記録方法および情報記録装置では、情報記録媒体が含む複数の記録層である第１〜第ｎの記録層Ｌ０〜Ｌｎ−１のうちのｉ番目の記録層Ｌｉ−１（１≦ｉ≦ｎ）に対して、ユーザデータ領域のサイズを最も大きく割り当てた場合にＳＢＭを格納するために必要なブロック数がＮi個（２≦Ｎi）であり、実際のＳＢＭを格納するために必要なブロック数がＭi個（１≦Ｍi≦Ｎi）であるとすると、Ｍiが２以上である場合には、まず連続するＭi個のブロックにはＤＤＳおよびＳＢＭを含むディスク管理情報を記録する。そして、それに続くＮi−Ｍi個のブロックにＤＤＳを含む情報を記録してもよい。なお、ＤＤＳは、Ｎi−Ｍi個のブロックそれぞれの先頭セクタに記録してもよい。
【０２２９】
このような記録方法により、未記録ブロックを含む形式でディスク管理情報が記録されないため、ディスク管理情報の再生をより短時間で行うことができる。
【０２３０】
さらに、この構成により、ディスク管理情報の各ブロックには、必ずＤＤＳが記録されることになる。これにより、記録再生を行うのに重要な情報であるＤＤＳがより多く記録され、埃や傷などによる欠陥に対して強くなる。また、ＤＭＡのディスク管理情報を格納するための領域の先頭ブロックにＤＤＳが必ず記録される場合に、その先頭ブロックのＤＤＳが埃や傷などによる欠陥により再生できず取得できない場合であっても、先頭ブロック以降の２番目、３番目、・・・のブロックにも、ＤＤＳが記録されることとなるため、容易にＤＤＳの位置を特定して取得することができる。
【０２３１】
なお、ＤＤＳは１セクタの情報である。これに対して、１ブロック（１クラスタ）は３２セクタである。つまり、Ｎi−Ｍi個のブロックのそれぞれにおいて、ＤＤＳを記録しても３１セクタ分は残ることとなる。
【０２３２】
そこで、本実施形態の情報記録方法および情報記録装置では、ＤＤＳが記録されたセクタ以外のセクタには、０のデータを記録してもよい。
【０２３３】
例えば、ブロックの先頭セクタにＤＤＳを記録し、それに続くセクタには、０のデータを記録してもよい。図１０に示すブロック１００４は、このような構成に相当する。
【０２３４】
なお、上述の構成では、Ｎi−Ｍi個のブロックには、ＤＤＳと０のデータを記録するとしたが、これに限るものではない。例えば、０のデータの代わりに、ＦＦｈのデータであってもよい。ディスクに割り当てられた物理アドレス以外の値のデータであれば、任意の値でよい。
【０２３５】
しかしながら、Ｎi−Ｍi個のブロックの一部は、本来はＳＢＭを格納する領域に相当するため、ＤＤＳと０のデータを記録するほうが好ましい。なぜなら、仮にビットマップ情報として扱われたとすると、そのビットに相当するユーザデータ領域は存在しないが、ビットマップ情報は、“０”を未記録、“１”を記録済とするため、そのユーザデータ領域は未記録と判定され、再生しないようになるからである。
【０２３６】
また、Ｎi−Ｍi個のブロックには、無効なデータではなく、何らかの意味を持つ情報、例えば、ＳＢＭを記録してもよい。例えば、図１５（Ｂ）、（Ｃ）において、未記録領域である領域１５１４、１５２２、１５２４の代わりに、それぞれ、Ｌ１層ＳＢＭ、Ｌ０層ＳＢＭ、Ｌ１層ＳＢＭを記録してもよい。これにより、ＳＢＭを多重記録するため、埃や傷などによる欠陥に対しより強くすることができる。
【０２３７】
また、Ｎi−Ｍi個のブロックには、ＳＢＭヘッダを記録してもよい。これにより、ＳＢＭと識別できるようになる。この場合、ビットマップ情報サイズを０にしたり、ＳＢＭが管理する領域の先頭物理アドレスを無効な位置情報にしたりすると、格納されているＳＢＭが無効であると再生時に判断できる。
【０２３８】
また、本実施形態の情報記録方法および情報記録装置では、情報記録媒体が含む複数の記録層である第１〜第ｎの記録層Ｌ０〜Ｌｎ−１に対して、それぞれのユーザデータ領域のサイズを最も大きく割り当てた場合にＳＢＭを格納するために必要なブロック数が、それぞれＮ1、Ｎ2、…、Ｎn個であるとする。この場合、ＤＤＳ４００には、それぞれの記録層Ｌ０〜Ｌｎ−１に対するＳＢＭ位置情報として、Ｎ1個のＳＢＭ位置情報、Ｎ2個のＳＢＭ位置情報、…、Ｎn個のＳＢＭ位置情報のそれぞれが含まれる。また、このとき、ＳＢＭを含まないブロックに対しては、無効な位置情報が記録される。
【０２３９】
このように、ＳＢＭが記録された各ブロックの位置情報をＤＤＳに格納することで、有効なＳＢＭが記録されているか否かを、ＤＤＳのみで判別することができる。図１３のように各記録層のＳＢＭが記録された位置を示す位置情報しかないとすると、有効なＳＢＭのサイズは、ＳＢＭヘッダのビットマップ情報サイズを取得するまで分からない。しかしながら、ＤＤＳに、ＳＢＭが記録された各ブロックの位置情報を格納し、そして、有効なＳＢＭが記録されていないブロックの位置情報を０とすることで、ＳＢＭの位置情報が０であるか否かを判定することで、ＳＢＭに依存せずに、ＤＤＳのみでＳＢＭが有効かどうか判定することができる。
【０２４０】
図１１は、本発明の実施の形態における記録方法によって記録された情報記録媒体のＤＭＡからディスク管理情報を再生する方法を示すフローチャートである。
【０２４１】
この例では、ＤＭＡには、図１０に示すように情報が記録されているものとする。
【０２４２】
まず、ステップ１１０１において、最大ブロック数決定部５７５は、ディスク管理情報の最大ブロック数Ｎを求める。本ステップは、図７のステップ７０１と同一であるため、説明は省略する。本発明の実施の形態では、Ｎは４ブロックとなる。
【０２４３】
次に、ステップ１１０２において、管理情報再生制御部５７８は、再生部５７２を制御して、ＤＭＡの先頭ブロックからＮブロックを再生し、管理情報格納メモリ５６０に格納する。
【０２４４】
次に、ステップ１１０３において、管理情報再生制御部５７８は、ステップ１１０２においてＮ個全てのブロックが再生できたか否かを判定する。例えば、再生部５７２は、再生できたブロック数を管理情報再生制御部５７８に返送する機能を有するとすると、管理情報再生制御部５７８は、再生部５７２から返送された再生できたブロック数が４であるか否かを判定する。再生できなかった場合（ステップ１１０３でＮｏ）、ディスク管理情報を全て取得していないので、ステップ１１０４の処理に進む。再生できた場合（ステップ１１０３でＹｅｓ）、ディスク管理情報を全て取得したので、処理を終了する。
【０２４５】
次に、ステップ１１０４において、管理情報再生制御部５７８は、再生部５７２を制御して、再生できなかったブロックを除く残りのブロックを再生する。例えば、図１０において、ブロック１００２が再生できなかった場合、ブロック１００３から２ブロック再生する。
【０２４６】
次に、ステップ１１０５において、管理情報再生制御部５７８は、ステップ１１０２において再生できなかったブロックにＳＢＭがあるか否かを判定する。具体的には、管理情報再生制御部５７８は、ステップ１１０１（ステップ７０１）で再生部５７２から返送される再生できたブロック数から、再生できなかったブロック数の位置を判別する。例えば、図１０において、ブロック１００２が再生できなかったとすると、ステップ１１０１（ステップ７０１）で再生部５７２から返送される再生できたブロック数は、１となる。したがって、再生できなかったブロックは、２番目のブロック１００２であることが判別できる。次に、管理情報再生制御部５７８は、再生できなかったブロックに格納されたＳＢＭの位置情報を、ＤＤＳから取得する。例えば、図１０において、ブロック１００２が再生できなかったとすると、ＤＤＳからＬ０層第２ＳＢＭ位置情報を取得する。そして、取得したＳＢＭ位置情報が０であるか否かを判定する。ＳＢＭ位置情報が０である場合、再生できなかったブロックにＳＢＭがないと判定する。ＳＢＭ位置情報が０でなかった場合、再生できなかったブロックにＳＢＭがあると判定する。ＳＢＭがある場合（ステップ１１０５でＹｅｓ）、別の領域を再生するため、ステップ１１０６の処理に進む。ＳＢＭがない場合（ステップ１１０５でＮｏ）、全てのディスク管理情報を取得したので、処理を終了する。なお、ステップ１１０４において、残りのブロックを再生しているため、必ずＤＤＳは存在するため、ＤＤＳからＳＢＭ位置情報が取得できる。
【０２４７】
次にステップ１１０６において、管理情報再生制御部５７８は、再生部５７２を制御して、再生できなかったブロックのＳＢＭと同じＳＢＭが記録されたブロックを再生する。例えば、図１０において、ブロック１００２が再生できなかったとすると、同じＳＢＭが記録されたブロック１００８を再生する。これにより、全てのディスク管理情報を取得できたので、処理を終了する。
【０２４８】
なお、ステップ１１０３で再生できないと判定された場合の処理は、これに限るものではない。例えば、図１０のように同じＳＢＭを繰り返し記録している場合、次に繰り返し記録している先頭ブロックから最大ブロック数再生してもよい。例えば、図１０のブロック１００２が再生できなかった場合、ブロック１００５からＮブロック再生してもよい。
【０２４９】
また、再生できなかったブロックを再度再生してもよい。
【０２５０】
また、ＤＭＡが記録されている場合は、追記型情報記録媒体は再生専用となる。そのため、仮にＳＢＭが取得できなかったとしても、未記録領域に再生を行うだけであって、記録するときのように、上書きして領域を破壊してしまうということはない。したがって、ステップ１１０３で再生できないと判定された場合、ＤＤＳが取得できていれば、処理を終了してもよい。
【０２５１】
このように、本発明の実施の形態におけるＤＭＡの再生方法によれば、ディスク管理情報の最大ブロック数を求め、最大ブロック数分のディスク管理情報を再生するため、ＤＤＳの情報は必要なく、ＳＢＭのサイズが変化しても、再生するディスク管理情報のサイズは変わらない。したがって、ＤＤＳの情報やＳＢＭのサイズに依存せず、ディスク管理情報を再生することができる。すなわち、ＤＤＳとＳＢＭの相互依存関係をなくした再生を行うことができる。
【０２５２】
また、ＤＤＳにＳＢＭが記録された各ブロックのＳＢＭ位置情報を格納し、そのＳＢＭ位置情報を用いてＳＢＭが記録されているか否かを判定することによって、ＳＢＭに依存せずに、ＤＤＳのみで判別することができる。
【０２５３】
また、ディスク管理情報が記録されている間の領域に、未記録のブロックが存在しないので、最大ブロック数分のディスク管理情報を中断なく一度で再生できるため、シーク時間がなくなり、起動時間を短縮することができる。
【０２５４】
また、シーケンシャル記録モード時もランダム記録モード時と同じブロック数のディスク管理情報が記録されるため、記録モードが異なっても同じ方法で再生することができる。
【０２５５】
本実施形態の情報再生方法および情報再生装置の構成および動作をさらに説明する。
【０２５６】
本実施形態の情報記録媒体では、ある１つの記録層Ｌｉ−１（ｉは１以上の整数）に対するＳＢＭを格納するために必要なブロック数がＭi個（１≦Ｍi）であるとすると、Ｍiが２以上である場合には、ＳＢＭは、それぞれＤＤＳと合わせて１ブロックに収まるサイズである、第１〜第ＭiのＳＢＭに分けて、Ｍi個のブロックに記録されている。
【０２５７】
そして、本実施形態の情報再生方法および情報再生装置では、Ｍi個のブロックから、ある１つの記録層Ｌｉ−１に対するＳＢＭを再生する。
【０２５８】
このような構成により、ユーザデータ領域のサイズ（スペア領域のサイズ）に依存して、ビットマップ情報のサイズが変化し、ＳＢＭが１ブロックで収まらない場合においても、ディスク管理情報をＤＭＡに格納し、管理することができ、また、それらを再生して取得することができる。
【０２５９】
本実施形態の情報記録媒体では、情報記録媒体が含む複数の記録層である第１〜第ｎの記録層Ｌ０〜Ｌｎ−１のうちのｉ番目の記録層Ｌｉ−１（１≦ｉ≦ｎ）に対して、ユーザデータ領域のサイズを最も大きく割り当てた場合にＳＢＭを格納するために必要なブロック数がＮi個（２≦Ｎi）であり、且つ、実際のＳＢＭを格納するために必要なブロック数がＭi個（１≦Ｍi≦Ｎi）であるとすると、Ｍiが２以上である場合には、まず連続するＭi個のブロックにはＤＤＳおよびＳＢＭを含むディスク管理情報が記録される。そして、それに続くＮi−Ｍi個のブロックは未記録領域としておく。そして、その次のブロックから、ｉ＋１番目の記録層ＬｉのＳＢＭが記録される。
【０２６０】
そして、本実施形態の情報再生方法および情報再生装置では、第ｉ＋１番目の記録層ＬｉのＳＢＭを、Ｍi個のブロックに後続する（Ｎi−Ｍi）個のブロックの次のブロックから再生する。
【０２６１】
これにより、ＳＢＭのサイズに関わらず、ＤＤＳを含むディスク管理情報の少なくとも１つのブロック（例えば、Ｍｉ個のブロックのディスク管理情報の先頭ブロック）の位置を特定できるため、ＳＢＭのサイズに依存せずにＤＤＳなどのディスク管理情報を容易に取得することができる。
【０２６２】
次に、本実施形態の情報記録媒体の製造方法について説明する。
【０２６３】
アドレス信号やコントロールデータに応じた、情報信号を記録するためのトラックが設けられた第１から第ｎの記録層をディスク基板上に形成する。これにより、ユーザデータ領域、欠陥管理領域、スペア領域が、例えば、図１に示す配置となる記録層を製造できる。なお、記録層と記録層の間には、中間層などが形成されてもよい。また記録層の上にカバー層が形成されてもよい。
【０２６４】
すなわち、本実施形態の情報記録媒体の製造方法は、第１から第ｎ（ｎ≧１である整数）の記録層を形成する工程と、第１から第ｎの記録層に、それぞれ、ユーザデータを記録するための第１から第ｎのユーザデータ領域を形成する工程と、第１から第ｎの記録層のうちの少なくとも１つの記録層に、情報記録媒体に関するディスク管理情報を記録するためのディスク管理領域を形成する工程とを含む。
【０２６５】
もしくは、本実施形態の情報記録媒体の製造方法は、第１から第ｎ（ｎ≧１である整数）の記録層を形成する工程と、第１から第ｎの記録層に、それぞれ、ユーザデータを記録するための第１から第ｎのユーザデータ領域およびユーザデータ領域に欠陥があった場合に交替記録を行うためのスペア領域とを含むデータ領域を形成する工程と、第１から第ｎの記録層のうちの少なくとも１つの記録層に、情報記録媒体に関するディスク管理情報を記録するためのディスク管理領域を形成する工程とを含む。
【産業上の利用可能性】
【０２６６】
本発明にかかる情報記録媒体は、任意の領域へ記録を行うランダム記録が可能な追記型光ディスクなどに適用でき、本発明にかかる情報記録再生方法は、任意の領域へ記録を行うランダム記録が可能な追記型光ディスクを記録再生可能な光ディスクドライブ装置などに適用できる。
【符号の説明】
【０２６７】
１００  情報記録媒体
２００  ＳＢＭ
２０１  ＳＢＭヘッダ
２０２  ビットマップ情報
３００  ＴＤＭＡ
３０１  Ｌ０層第１ＳＢＭ
３０３  Ｌ０層第２ＳＢＭ
３０５  ＴＤＦＬ
３０７  Ｌ１層ＳＢＭ
３０２、３０４、３０６、３０８  ＴＤＤＳ
４００、１３００  ＤＤＳ
４０１  Ｌ０層第１ＳＢＭ位置情報
４０２  Ｌ０層第２ＳＢＭ位置情報
４０３  Ｌ１層第１ＳＢＭ位置情報
４０４  Ｌ１層第２ＳＢＭ位置情報
５００  情報記録再生装置
５１０  命令処理部
５２０  光ヘッド
５３０  レーザ制御部
５４０  メカ制御部
５５０  メモリ
５６０  管理情報格納メモリ
５７０  システム制御部
５７１  記録部
５７２  再生部
５７３  管理情報更新部
５７４  管理情報生成部
５７５  最大ブロック数決定部
５７６  ディスク情報取得部
５７７  管理情報記録制御部
５７８  管理情報再生制御部
５８０  Ｉ／Ｏバス
１０００  ＤＭＡ
１００１、１００７  ＤＤＳ＋Ｌ０層第１ＳＢＭ
１００２、１００８  ＤＤＳ＋Ｌ０層第２ＳＢＭ
１００３、１００５  ＤＤＳ＋Ｌ１層ＳＢＭ
１００４、１００６  ＤＤＳ＋ＡＬＬ０
１３０１  ＤＤＳヘッダ
１３０２  記録モード情報
１３０３  ユーザデータ領域の論理終端セクタアドレス
１３０４  Ｌ０層の内周スペアサイズ
１３０５  外周スペアサイズ
１３０６  Ｌ１層の内周スペアサイズ
１３０７  第１ＤＦＬ位置情報
１３０８  第８ＤＦＬ位置情報
１３０９  Ｌ０層ＳＢＭ位置情報
１３１０  Ｌ１層ＳＢＭ位置情報
【図１】
0005503659.tif 000002
【図２】
0005503659.tif 000003
【図３】
0005503659.tif 000004
【図４】
0005503659.tif 000005
【図５】
0005503659.tif 000006
【図６】
0005503659.tif 000007
【図７】
0005503659.tif 000008
【図８】
0005503659.tif 000009
【図９】
0005503659.tif 000010
【図１０】
0005503659.tif 000011
【図１１】
0005503659.tif 000012
【図１２】
0005503659.tif 000013
【図１３】
0005503659.tif 000014
【図１４】
0005503659.tif 000015
【図１５】
0005503659.tif 000016